(57)【要約】  本出願は、セル処理方法、装置及びシステムを開示し、前記セル処理方法は、第１通信ノードが隣接セルリストを送信することを含み、隣接セルリストは、第１コアネットワークに接続される隣接セルのリストと、第２コアネットワークのみに接続される少なくとも１つの隣接セルのリストとを含み、又は、隣接セルリストは、第１コアネットワークのみに接続される隣接セルのリストと、第１コアネットワーク及び第２コアネットワークの両方に接続される隣接セルのリストと、第２コアネットワークのみに接続される少なくとも１つの隣接セルのリストとを含む。【選択図】図２
2021513793.tif 000002
【特許請求の範囲】
【請求項１】
第１通信ノードが隣接セルリストを送信することを含み、
前記隣接セルリストは、第１コアネットワークに接続される隣接セルのリストと、第２コアネットワークのみに接続される少なくとも１つの隣接セルのリストとを含み、又は、
前記隣接セルリストは、第１コアネットワークのみに接続される隣接セルのリストと、第１コアネットワーク及び第２コアネットワークの両方に接続される隣接セルのリストと、第２コアネットワークのみに接続される少なくとも１つの隣接セルのリストとを含む、
セル処理方法。
【請求項２】
前記第１通信ノードが隣接セルリストを送信することは、
前記第１通信ノードが、前記隣接セルリストを含むブロードキャストメッセージを送信すること、を含む、
請求項１に記載の方法。
【請求項３】
前記隣接セルリストは、同周波数隣接セルのリスト及び異周波数隣接セルのリストの少なくとも一方を含む、
請求項１又は２に記載の方法。
【請求項４】
前記第１コアネットワークに接続される隣接セルのリストは、第１コアネットワークのみに接続される少なくとも１つの隣接セルの隣接セル情報と、第１コアネットワーク及び第２コアネットワークの両方に接続される少なくとも１つの隣接セルの隣接セル情報とを含む、
請求項１又は２に記載の方法。
【請求項５】
前記隣接セルリストは、少なくとも１つの隣接セルの隣接セル情報を含み、
前記隣接セル情報は、
周波数点と、セル指標と、第２通信ノードのセル内のキャンプに必要な最小受信レベル閾値と、第２通信ノードのセル内のキャンプに必要な最小品質レベル閾値と、セル再選択オフセットと、セル再選択の周波数オフセットと、セルが許可する第２通信ノードの最大送信電力と、帯域が許可する第２通信ノードの最大送信電力と、セル特性との少なくとも一方を含む、
請求項１又は２に記載の方法。
【請求項６】
前記セル特性は、
セルが第２コアネットワークに接続されることと、セルが第１コアネットワークに接続されることと、セルに接続される第２コアネットワークのユーザプレーン最適化案に対するサポート情報と、セルに接続される第２コアネットワークの第２通信ノードの省エネ状態に対するサポート情報と、セル選択の重みとの少なくとも一方を含み、
セルに接続される第２コアネットワークのユーザプレーン最適化案に対するサポート情報は、セルに接続される第２コアネットワークがユーザプレーン最適化案をサポートすることと、セルに接続される第２コアネットワークがユーザプレーン最適化案をサポートしないこととの少なくとも一方を含み、
セルに接続される第２コアネットワークの第２通信ノードの省エネ状態に対するサポート情報は、セルに接続される第２コアネットワークが第２通信ノードの省エネ状態をサポートすることと、セルに接続される第２コアネットワークが第２通信ノードの省エネ状態をサポートしないこととの少なくとも一方を含む、
請求項５に記載の方法。
【請求項７】
前記省エネ状態は、
拡張非連続受信状態と、低電力モード状態と、ディープスリープモード状態との少なくとも一方に前記第２通信ノードが入ると、前記第２通信ノードに対応する前記第１通信ノードとコアネットワーク要素との接続は維持され、且つ、前記第２通信ノードに対応する前記第１通信ノードとコアネットワーク要素との接続は省エネ状態に入るという特性と、
前記第２通信ノードに対応する前記第１通信ノードとコアネットワーク要素との接続が省エネ状態にあるとき、前記第１通信ノードは、上りデータ及び上りシグナリングの少なくとも一方を任意のタイミングで前記コアネットワーク要素に送信可能であるという特性と、
前記コアネットワーク要素は、ページング時間ウィンドウ及び予め定義されたデータ送信ウィンドウの少なくとも一方の内で、下りデータ及び下りシグナリングの少なくとも一方を前記第１通信ノードに送信するという特性と、を含む、
請求項６に記載の方法。
【請求項８】
前記省エネ状態は、
前記第１通信ノードが、拡張非連続受信配置情報と、低電力モード配置情報と、ディープスリープモード配置情報との少なくとも一方を受信するという特性と、
前記第１通信ノードが、前記拡張非連続受信配置情報と、低電力モード配置情報と、ディープスリープモード配置情報との少なくとも一方に応じて、ページング時間ウィンドウ及び予め定義されたデータ送信ウィンドウの少なくとも一方の外で、下りデータ及び下りシグナリングの少なくとも一方を受信するとき、前記第１通信ノードは、前記下りデータ及び下りシグナリングの少なくとも一方をバッファするという特性と、
前記第１通信ノードが、前記ページング時間ウィンドウ及び予め定義されたデータ送信ウィンドウの少なくとも一方の内で、前記第２通信ノードにページング・メッセージを送信し、前記第２通信ノードが無線リソース制御接続状態又は早期データ伝送状態に入った後、バッファされた下りデータ及び下りシグナリングの少なくとも一方を前記第２通信ノードに送信するという特性と、を含む、
請求項６に記載の方法。
【請求項９】
前記省エネ状態は、
前記第１通信ノードが、拡張非連続受信配置情報と、低電力モード配置情報と、ディープスリープモード配置情報との少なくとも一方を受信するという特性と、
前記第１通信ノードが、下りデータ及び下りシグナリングの少なくとも一方を受信した場合、前記拡張非連続受信配置情報と、低電力モード配置情報と、ディープスリープモード配置情報との少なくとも一方に応じて、ページング時間ウィンドウ及び予め定義されたデータ送信ウィンドウの少なくとも一方の内で前記第２通信ノードにページング・メッセージを送信し、且つ、前記第２通信ノードが、無線リソース制御接続状態又は早期データ伝送状態に入った後、前記下りデータ又は下りシグナリングの少なくとも一方を前記第２通信ノードに送信するという特性と、を含む、
請求項６に記載の方法。
【請求項１０】
通信ノードが隣接セルリストを受信することを含み、
前記隣接セルリストは、第１コアネットワークに接続される隣接セルのリストと、第２コアネットワークのみに接続される少なくとも１つの隣接セルのリストとを含み、又は、
前記隣接セルリストは、第１コアネットワークのみに接続される隣接セルのリストと、第１コアネットワーク及び第２コアネットワークの両方に接続される隣接セルのリストと、第２コアネットワークのみに接続される少なくとも１つの隣接セルのリストとを含み、
通信ノードが第２コアネットワークをサポートしていない場合、通信ノードは、第１コアネットワークに接続される隣接セルのリストにおける隣接セルに対して処理を行い、又は、第１コアネットワークのみに接続される隣接セルのリストと、第１コアネットワーク及び第２コアネットワークの両方に接続される隣接セルのリストにおける隣接セルとに対して処理を行い、又は、
前記通信ノードが前記第２コアネットワークをサポートしている場合、前記通信ノードは、すべての隣接セルリストにおける隣接セルに対して処理を行う、
セル処理方法。
【請求項１１】
すべての隣接セルリストにおける隣接セルに対して処理を行うことは、
前記通信ノードが、すべての隣接セルリストにおける隣接セルの和集合を測定対象の隣接セルとして隣接セル測定を行うこと、又は、
前記通信ノードが、すべての隣接セルリストにおける隣接セルの和集合を候補セルとしてセル再選択を行うこと、を含む、
請求項１０に記載の方法。
【請求項１２】
前記通信ノードが第１コアネットワークに接続される隣接セルのリストにおける隣接セルに対して処理を行うことは、
前記通信ノードが、前記第１コアネットワークに接続される隣接セルのリストにおける隣接セルの和集合を測定対象の隣接セルとして隣接セル測定を行うこと、又は、
前記通信ノードが、前記第１コアネットワークに接続される隣接セルのリストにおける隣接セルの和集合を候補セルとしてセル再選択を行うこと、を含む、
請求項１０に記載の方法。
【請求項１３】
前記通信ノードが、第１コアネットワークのみに接続される隣接セルのリストと、第１コアネットワーク及び第２コアネットワークの両方に接続される隣接セルのリストにおける隣接セルに対して処理を行うことは、
前記通信ノードが、前記第１コアネットワークのみに接続される隣接セルのリストにおける隣接セルと、前記第１コアネットワーク及び第２コアネットワークの両方に接続される隣接セルのリストにおける隣接セルとの和集合を測定対象の隣接セルとして隣接セル測定を行うこと、又は、
前記通信ノードが、前記第１コアネットワークのみに接続される隣接セルのリストにおける隣接セルと、前記第１コアネットワーク及び第２コアネットワークの両方に接続される隣接セルのリストにおける隣接セルとの和集合を候補セルとしてセル再選択を行うこと、を含む、
請求項１０に記載の方法。
【請求項１４】
前記通信ノードが隣接セルリストを受信することは、
前記通信ノードが前記隣接セルリストを含むブロードキャストメッセージを受信すること、を含む、
請求項１０〜１３のいずれか１項に記載の方法。
【請求項１５】
前記隣接セルリストは、少なくとも１つの隣接セルの隣接セル情報を含み、
前記隣接セル情報は、
周波数点と、セル指標と、通信ノードのセル内のキャンプに必要な最小受信レベル閾値と、通信ノードのセル内のキャンプに必要な最小品質レベル閾値と、セル再選択オフセットと、セル再選択の周波数オフセットと、セルが許可する通信ノード最大送信電力と、帯域が許可する通信ノード最大送信電力と、セル特性との少なくとも一方を含む、
請求項１０〜１３のいずれか１項に記載の方法。
【請求項１６】
前記通信ノードが隣接セルに対して処理を行うことは、
前記通信ノードがセル品質等価性閾値に応じてセル等価性品質区間を決定することと、
通信ノードが第２コアネットワークをサポートしていない場合、前記通信ノードが、第１コアネットワークに接続される隣接セルのリスト、又は第１コアネットワークのみに接続だれる隣接セルのリストと、第１コアネットワーク及び第２コアネットワークの両方に接続される隣接セルのリストとのうち、品質がセルの等価性品質区間内にある隣接セルと、現在のサービングセルとを、セル特性に基づいて前記通信ノードの能力とマッチングして、セル傾向性再選択を行うことと、又は、
前記通信ノードが前記第２コアネットワークをサポートしている場合、前記通信ノードが、すべての隣接セルリストのうち、品質がセルの等価性品質区間内にある隣接セルと現在のサービングセルとを、セル特性に基づいて前記通信ノードの能力とマッチングして、セル傾向性再選択を行うことと、を含む、
請求項１５に記載の方法。
【請求項１７】
隣接セルリストを送信するように構成される送信モジュール、を備え、
前記隣接セルリストは、第１コアネットワークに接続される隣接セルのリストと、第２コアネットワークのみに接続される少なくとも１つの隣接セルのリストとを含み、又は、
前記隣接セルリストは、第１コアネットワークのみに接続される隣接セルのリストと、第１コアネットワーク及び第２コアネットワークの両方に接続される隣接セルのリストと、第２コアネットワークのみに接続される少なくとも１つの隣接セルのリストとを含む、
通信ノード。
【請求項１８】
隣接セルリストを受信するように構成される受信モジュールと、処理モジュールと、を備え、
前記隣接セルリストは、第１コアネットワークに接続される隣接セルのリストと、第２コアネットワークのみに接続される少なくとも１つの隣接セルのリストとを含み、又は、
前記隣接セルリストは、第１コアネットワークのみに接続される隣接セルのリストと、第１コアネットワーク及び第２コアネットワークの両方に接続される隣接セルのリストと、第２コアネットワークのみに接続される少なくとも１つの隣接セルのリストとを含み、
前記処理モジュールは、第２コアネットワークをサポートしていない場合、第１コアネットワークに接続される隣接セルのリストにおける隣接セルに対して処理を行い、又は、第１コアネットワークのみに接続される隣接セルのリストと、第１コアネットワーク及び第２コアネットワークの両方に接続される隣接セルのリストにおける隣接セルに対して処理を行い、又は、前記第２コアネットワークをサポートしている場合、すべての隣接セルのリストにおける隣接セルに対して処理を行う、ように構成される、
通信ノード。
【請求項１９】
プロセッサと、コンピュータ可読記憶媒体と、を備え、
前記コンピュータ可読記憶媒体に、前記プロセッサによって実行されると、請求項１〜９のいずれか１項に記載のセル処理方法を実現し、又は請求項１０〜１６のいずれか１項に記載のセル処理方法を実現する指令が記憶されている、
通信ノード。
【請求項２０】
プロセッサによって実行されると、請求項１〜９のいずれか１項に記載のセル処理方法のステップを実現し、又は請求項１０〜１６のいずれか１項に記載のセル処理方法を実現するコンピュータプログラムが記憶されている、
コンピュータ可読記憶媒体。
【請求項２１】
請求項１７に記載の通信ノードと、請求項１８に記載の通信ノードと、を備える、
セル処理システム。
【請求項２２】
通信ノードがランダム化ヒステリシス閾値を受信することと、
通信ノードがランダム化ヒステリシス閾値に応じて乱数を生成することと、
通信ノードが乱数に応じてセル再選択を行うことと、を含む、
セル再選択方法。
【請求項２３】
前記通信ノードが、ランダム化ヒステリシス閾値に応じて乱数を生成することは、
前記通信ノードが、以下のいずれかの式に従って前記乱数を生成し、
【数１】
2021513793.tif 000032
そのうち、Ｑｈｙｓｔ＿ｏｆｆｓｅｔは、前記乱数であり、Ｑｈｙｓｔ＿Ｒは、前記ランダム化ヒステリシス閾値であり、ｂはａよりも大きい、
請求項２２に記載の方法。
【請求項２４】
前記ａは０であり、前記ｂは１であり、
又は、前記ａは−１であり、前記ｂは０であり、
又は、前記ａは−１であり、前記ｂは１である、
請求項２３に記載の方法。
【請求項２５】
前記通信ノードが、乱数に応じてセル再選択を行うことは、
前記通信ノードが、元ヒステリシス閾値及び前記乱数に応じて、新たなヒステリシス閾値を算出することと、
前記通信ノードが、前記新たなヒステリシス閾値に応じてセル再選択を行うことと、を含む、
請求項２２に記載の方法。
【請求項２６】
前記通信ノードがランダム化ヒステリシス閾値を受信することは、
前記通信ノードが前記ランダム化ヒステリシス閾値を含むブロードキャストメッセージを受信すること、を含む、
請求項２２〜２５のいずれか１項に記載の方法。
【請求項２７】
通信ノードがランダム化ヒステリシス閾値を送信すること、を含む、
セル再選択方法。
【請求項２８】
前記通信ノードがランダム化ヒステリシス閾値を送信することは、
前記通信ノードが、前記ランダム化ヒステリシス閾値を含むブロードキャストメッセージを送信すること、を含む、
請求項２７に記載の方法。
【請求項２９】
ランダム化ヒステリシス閾値を受信するように構成される受信モジュールと、
ランダム化ヒステリシス閾値に応じて乱数を生成するように構成される生成モジュールと、
乱数に応じてセル再選択を行うように構成される再選択モジュールと、を備える、
通信ノード。
【請求項３０】
ランダム化ヒステリシス閾値を送信するように構成される送信モジュール、を備える、
通信ノード。
【請求項３１】
プロセッサと、コンピュータ可読記憶媒体と、を備え、
前記コンピュータ可読記憶媒体に、前記プロセッサによって実行されると、請求項２２〜２６のいずれか１項に記載のセル再選択方法を実現し、又は請求項２７〜２８のいずれか１項に記載のセル再選択方法を実現する指令が記憶されている、
通信ノード。
【請求項３２】
プロセッサによって実行されると、請求項２２〜２６のいずれか１項に記載のセル再選択方法のステップを実現し、又は請求項２７〜２８のいずれか１項に記載のセル再選択方法を実現するコンピュータプログラムが記憶されている、
コンピュータ可読記憶媒体。
【請求項３３】
請求項２９に記載の通信ノードと、請求項３０に記載の通信ノードと、を備える、
セル再選択システム。
【請求項３４】
通信ノードがセル品質等価性閾値に応じてセル等価性品質区間を決定することと、
通信ノードが、品質がセルの等価性品質区間内にある隣接セルと現在のサービングセルからなる集合を候補セルとして、セル傾向性再選択を行うことと、を含む、
セル再選択方法。
【請求項３５】
通信ノードがセル品質等価性閾値に応じてセル等価性品質区間を決定することの前に、
前記通信ノードが前記セル品質等価性閾値を受信すること、をさらに含む、
請求項３４に記載の方法。
【請求項３６】
前記通信ノードが、品質がセルの等価性品質区間内にある隣接セルと現在のサービングセルからなる集合を候補セルとして、セル傾向性再選択を行うことは、
前記通信ノードが、前記品質がセルの等価性品質区間内にある隣接セルと現在のサービングセルからなる集合から、１つの隣接セルをランダムにサービングセルとして選択すること、を含む、
請求項３４に記載の方法。
【請求項３７】
前記通信ノードがセル再選択の傾向性指示を受信すること、をさらに含み、
前記通信ノードがセル傾向性再選択を行うことは、
前記通信ノードが前記セル再選択の傾向性指示に応じてセル傾向性再選択を行うこと、を含む、
請求項３４に記載の方法。
【請求項３８】
前記セル再選択の傾向性指示は、セル再選択の選択傾向及びセル特性の少なくとも一方を含み、
セル特性は、セルが第２コアネットワークに接続されることと、セルが第１コアネットワークに接続されることと、セルに接続される第２コアネットワークのユーザプレーン最適化案に対するサポート情報と、セルに接続される第２コアネットワークの第２通信ノードの新たな省エネ状態に対するサポート情報と、セル選択の重みとの少なくとも一方を含み、
セルに接続される第２コアネットワークのユーザプレーン最適化案に対するサポート情報は、セルに接続される第２コアネットワークが、ユーザプレーン最適化案をサポートすることと、セルに接続される第２コアネットワークが、ユーザプレーン最適化案をサポートしないことと、の少なくとも一方を含み、
セルに接続される第２コアネットワークの第２通信ノードの省エネ状態に対するサポート情報は、セルに接続される第２コアネットワークが、第２通信ノードの省エネ状態をサポートすることと、セルに接続される第２コアネットワークが、第２通信ノードの省エネ状態をサポートしないことと、の少なくとも一方を含む、
請求項３７に記載の方法。
【請求項３９】
前記通信ノードが、前記セル再選択の傾向性指示に応じてセル傾向性再選択を行うことは、
前記通信ノードが、前記品質がセルの等価性品質区間内にある隣接セルと現在のサービングセルからなる集合から、前記セル再選択の選択傾向に対応するセルをサービングセルとして選択することと、
前記通信ノードが第２コアネットワークをサポートしている場合、前記通信ノードが、前記品質がセルの等価性品質区間内にある隣接セルと現在のサービングセルからなる集合から、第２コアネットワークに接続されるというセル特性を有するセルのうち、１つのセルをサービングセルとして選択することと、
前記通信ノードが、前記セル選択の重みに応じて、前記品質がセルの等価性品質区間内にある隣接セルと現在のサービングセルからなる集合から、１つのセルをサービングセルとして選択することと、の少なくとも一方を含む、
請求項３８に記載の方法。
【請求項４０】
前記通信ノードが、セル選択の重みに応じて、品質がセルの等価性品質区間内にある隣接セルと現在のサービングセルからなる集合から、１つのセルをサービングセルとして選択することは、
前記通信ノードが、予め設定された順番で、前記品質がセルの等価性品質区間内にある隣接セルと現在のサービングセルに番号を付けることと、
前記通信ノードが、
【数２】
2021513793.tif 000033
を満たす、番号が最も小さいセルを前記サービングセルとして選択することと、を含み、
そのうち、ｗ（ｊ）は、番号がｊである隣接セルの重みであり、ｎは、品質がセルの等価性品質区間内にある隣接セルの数であり、ｉは、セルの番号を示している、
請求項３９に記載の方法。
【請求項４１】
前記通信ノードが、セル選択の重みに応じて、品質がセルの等価性品質区間内にある隣接セルから、１つの隣接セルをサービングセルとして選択することは、
前記通信ノードが、予め設定された順番で、前記品質がセルの等価性品質区間内にある隣接セルと現在のサービングセルに番号を付けることと、
【数３】
2021513793.tif 000034
の場合、前記通信ノードが、番号が０である隣接セルを前記サービングセルとして選択し、又は、
【数４】
2021513793.tif 000035
の場合、前記通信ノードが、番号がｉである隣接セルを前記サービングセルとして選択することと、を含み、
ここで、
【数５】
2021513793.tif 000036
そのうち、Ｕは、ユーザデバイス指標であり、Ｐ（０）は、番号が０である隣接セルを選択する確率であり、Ｐ（ｊ）は、番号がｊである隣接セルを選択する確率であり、Ｉは、第５通信ノードの指標であり、ｗ（ｊ）は、番号がｊである隣接セルの重みであり、ｗ（ｋ）は、番号がｋである隣接セルの重みであり、ｎは、品質がセルの等価性品質区間内にある隣接セルの数であり、ｉはセル番号を示し、Ａ及びＢは、１以上の整数である、
請求項３９に記載の方法。
【請求項４２】
通信ノードが、セル品質等価性閾値及びセル再選択の傾向性指示の少なくとも一方を送信すること、を含む、
セル再選択方法。
【請求項４３】
セル品質等価性閾値に応じてセル等価性品質区間を決定するように構成される決定モジュールと、
品質がセルの等価性品質区間内にある隣接セルと現在のサービングセルからなる集合を候補セルとして、セル傾向性再選択を行うように構成される再選択モジュールと、を備える、
通信ノード。
【請求項４４】
セル品質等価性閾値及びセル再選択の傾向性指示の少なくとも一方を送信するように構成される送信モジュール、を備える、
通信ノード。
【請求項４５】
プロセッサと、コンピュータ可読記憶媒体と、を備え、
前記コンピュータ可読記憶媒体に、前記プロセッサによって実行されると、請求項３４〜４１のいずれか１項に記載のセル再選択方法を実現し、又は請求項４２に記載のセル再選択方法を実現する指令が記憶されている、
通信ノード。
【請求項４６】
プロセッサによって実行されると、請求項３４〜４１のいずれか１項に記載のセル再選択方法のステップを実現し、又は請求項４２に記載のセル再選択方法を実現するコンピュータプログラムが記憶されている、
コンピュータ可読記憶媒体。
【請求項４７】
請求項４３に記載の通信ノードと、請求項４４に記載の通信ノードとを備える、
セル再選択システム。
【請求項４８】
基地局が、無線リソース制御接続を解放する第１指示情報を端末に送信し、省エネ状態に入る第２指示情報をコアネットワーク要素に送信すること、を含む、
省エネ状態変換方法。
【請求項４９】
前記基地局が無線リソース制御接続を解放する第１指示情報を端末に送信することの前に、
前記基地局が、前記コアネットワーク要素が前記省エネ状態をサポートする第３指示情報を受信すること、をさらに含む、
請求項４８に記載の方法。
【請求項５０】
前記基地局が、下りデータ及び下りシグナリングの少なくとも一方を受信することと、
前記基地局が、前記端末にページング・メッセージを送信し、前記端末に対応する基地局とコアネットワーク要素との接続が接続状態に入ることと、をさらに含み、
又は、前記基地局が、上りデータ及び上りシグナリングの少なくとも一方を受信することと、
前記基地局が、前記上りデータ及び上りシグナリングの少なくとも一方を前記コアネットワーク要素に送信することと、
前記端末に対応する基地局とコアネットワーク要素との接続が接続状態に入ることと、をさらに含む、
請求項４８に記載の方法。
【請求項５１】
コアネットワーク要素が、省エネ状態に入る指示情報を受信することと、
端末に対応する基地局とコアネットワーク要素との接続を維持し、且つ、端末に対応する基地局とコアネットワーク要素との接続が省エネ状態に入ることと、
端末に対応する基地局とコアネットワーク要素との間の接続が省エネ状態にあるとき、基地局が、上りデータ及び上りシグナリングの少なくとも一方を任意のタイミングでコアネットワーク要素に送信可能であることと、
コアネットワーク要素が、ページング時間ウィンドウ及び予め定義されたデータ送信ウィンドウの少なくとも一方の内で、下りデータ及び下りシグナリングの少なくとも一方を基地局に送信することと、を含む、
省エネ状態変換方法。
【請求項５２】
前記コアネットワーク要素が省エネ状態に入る第２指示情報を受信することの前に、
前記コアネットワーク要素が、前記コアネットワーク要素が前記端末の省エネ状態をサポートする第３指示情報を基地局に送信すること、をさらに含む、
請求項５１に記載の方法。
【請求項５３】
前記コアネットワーク要素が、前記ページング時間ウィンドウ及び予め定義されたデータ送信ウィンドウの少なくとも一方の内で、前記下りデータ及び下りシグナリングの少なくとも一方を前記基地局に送信することと、
前記端末に対応する基地局とコアネットワーク要素との接続が接続状態に入ることと、をさらに含み、
又は、前記コアネットワーク要素が、上りデータ及び上りシグナリングの少なくとも一方を受信することと、
前記端末に対応する基地局とコアネットワーク要素との接続が接続状態に入ることと、をさらに含む、
請求項５１に記載の方法。
【請求項５４】
無線リソース制御接続を解放する第１指示情報を端末に送信し、省エネ状態に入る第２指示情報をコアネットワーク要素に送信するように構成される送信モジュール、を備える、
基地局。
【請求項５５】
省エネ状態に入る指示情報を受信するように構成される受信モジュール、を備え、
端末に対応する基地局とコアネットワーク要素との接続を維持し、且つ、端末に対応する基地局とコアネットワーク要素との接続が省エネ状態に入り、
端末に対応する基地局とコアネットワーク要素との間の接続が省エネ状態にあるとき、基地局が、上りデータ及び上りシグナリングの少なくとも一方を任意のタイミングでコアネットワーク要素に送信可能であり、
コアネットワーク要素が、ページング時間ウィンドウ及び予め定義されたデータ送信ウィンドウの少なくとも一方の内で、下りデータ及び下りシグナリングの少なくとも一方を基地局に送信する、
コアネットワーク要素。
【請求項５６】
プロセッサと、コンピュータ可読記憶媒体と、を備え、
前記コンピュータ可読記憶媒体に、前記プロセッサによって実行されると、請求項４８〜５０のいずれか１項に記載の省エネ状態変換方法を実現する指令が記憶されている、
基地局。
【請求項５７】
プロセッサと、コンピュータ可読記憶媒体と、を備え、
前記コンピュータ可読記憶媒体に、前記プロセッサによって実行されると、請求項５１〜５３のいずれか１項に記載の省エネ状態変換方法を実現する指令が記憶されている、
コアネットワーク要素。
【請求項５８】
プロセッサによって実行されると、請求項４８〜５０のいずれか１項に記載の省エネ状態変換方法のステップを実現し、又は請求項５１〜５３のいずれか１項に記載の省エネ状態変換方法を実現するコンピュータプログラムが記憶されている、
コンピュータ可読記憶媒体。
【請求項５９】
請求項５４に記載の基地局と、請求項５５に記載のコアネットワーク要素と、を備える、
省エネ状態変換システム。
【発明の詳細な説明】
【技術分野】
【０００１】
本出願は、２０１８年０２月１３日に中国特許局に出願された中国特許出願番号２０１８１０１５０９２２．９に基づく優先権を主張するものであり、その出願におけるすべての内容は引用により本出願に組み込まれる。
【０００２】
本出願の実施例は、通信の分野に関し、例えば、セル処理方法、装置及びシステムに関する。
【背景技術】
【０００３】
現在のＮＢ−ＩｏＴ（Ｎａｒｒｏｗ  Ｂａｎｄ  Ｉｎｔｅｒｎｅｔ  ｏｆ  Ｔｈｉｎｇｓ）及びｅＭＴＣ（Ｅｖｏｌｖｅｄ  Ｍａｃｈｉｎｅ  Ｔｙｐｅ  Ｃｏｍｍｕｎｉｃａｔｉｏｎ）技術の少なくとも一方は、ＬＴＥ（Ｌｏｎｇ  Ｔｅｒｍ  Ｅｖｏｌｖｅｄ）技術に基づいて開発されたものであるため、ＮＢ−ＩｏＴ基地局及びｅＭＴＣ基地局の少なくとも一方は４Ｇコアネットワーク（Ｅｖｏｌｖｅｄ  Ｃｏｒｅ  Ｎｅｔｗｏｒｋ、ＥＰＣ）にしかアクセスできない。しかし、５Ｇ技術の研究に伴い、コアネットワークのアーキテクチャも変化し、５Ｇコアネットワーク（５Ｇ  Ｃｏｒｅ  Ｎｅｔｗｏｒｋ、５ＧＣ）が形成された。５ＧＣのアーキテクチャの利点及びネットワーク配置の柔軟性を利用するために、ＮＢ−ＩｏＴ基地局及びｅＭＴＣ基地局の少なくとも一方の５ＧＣへのアクセスをできるようにすることが望まれている。
【発明の概要】
【０００４】
本出願の実施例は、セル処理の効率を向上させることができるセル処理方法、装置及びシステムを提供する。
【０００５】
本出願の実施例は、第１通信ノードが隣接セルリストを送信することを含み、前記隣接セルリストは、第１コアネットワークに接続される隣接セルのリストと、第２コアネットワークのみに接続される少なくとも１つの隣接セルのリストとを含み、又は、前記隣接セルリストは、第１コアネットワークのみに接続される隣接セルのリストと、第１コアネットワーク及び第２コアネットワークの両方に接続される隣接セルのリストと、第２コアネットワークのみに接続される少なくとも１つの隣接セルのリストとを含む、セル処理方法を提供する。
【０００６】
本出願の実施例は、通信ノードが隣接セルリストを受信することを含み、そのうち、前記隣接セルリストは、第１コアネットワークに接続される隣接セルのリストと、第２コアネットワークのみに接続される少なくとも１つの隣接セルのリストとを含み、又は、前記隣接セルリストは、第１コアネットワークのみに接続される隣接セルのリストと、第１コアネットワーク及び第２コアネットワークの両方に接続される隣接セルのリストと、第２コアネットワークのみに接続される少なくとも１つの隣接セルのリストとを含み、通信ノードが第２コアネットワークをサポートしていない場合、通信ノードは、第１コアネットワークに接続される隣接セルのリストにおける隣接セルに対して処理を行い、又は、第１コアネットワークのみに接続される隣接セルのリストと、第１コアネットワーク及び第２コアネットワークの両方に接続される隣接セルのリストにおける隣接セルとに対して処理を行い、又は、前記通信ノードが前記第２コアネットワークをサポートしている場合、前記通信ノードは、すべての隣接セルのリストにおける隣接セルに対して処理を行う、セル処理方法を提供する。
【０００７】
本出願の実施例は、隣接セルリストを送信するように構成される送信モジュール、を備え、
前記隣接セルリストは、第１コアネットワークに接続される隣接セルのリストと、第２コアネットワークのみに接続される少なくとも１つの隣接セルのリストとを含み、
又は、前記隣接セルリストは、第１コアネットワークのみに接続される隣接セルのリストと、第１コアネットワーク及び第２コアネットワークの両方に接続される隣接セルのリストと、第２コアネットワークのみに接続される少なくとも１つの隣接セルのリストとを含む、通信ノードを提供する。
【０００８】
本出願の実施例は、隣接セルリストを受信するように構成される受信モジュールと、処理モジュールと、を備え、
前記隣接セルリストは、第１コアネットワークに接続される隣接セルのリストと、第２コアネットワークのみに接続される少なくとも１つの隣接セルのリストとを含み、
又は、前記隣接セルリストは、第１コアネットワークのみに接続される隣接セルのリストと、第１コアネットワーク及び第２コアネットワークの両方に接続される隣接セルのリストと、第２コアネットワークのみに接続される少なくとも１つの隣接セルのリストとを含み、
前記処理モジュールは、第２コアネットワークをサポートしていない場合、第１コアネットワークに接続される隣接セルのリストにおける隣接セルに対して処理を行い、又は、第１コアネットワークのみに接続される隣接セルのリストと、第１コアネットワーク及び第２コアネットワークの両方に接続される隣接セルのリストにおける隣接セルに対して処理を行い、又は、前記第２コアネットワークをサポートしている場合、すべての隣接セルのリストにおける隣接セルに対して処理を行う、ように構成される、通信ノードを提供する。
【０００９】
本出願の実施例は、プロセッサと、コンピュータ可読記憶媒体と、を備え、
前記コンピュータ可読記憶媒体に、前記プロセッサによって実行されると、上記のいずれかのセル処理方法を実現する指令が記憶されている、通信ノードを提供する。
【００１０】
本出願の実施例は、プロセッサによって実行されると、上記のいずれかのセル処理方法を実現するコンピュータプログラムが記憶されている、コンピュータ可読記憶媒体。
【００１１】
本出願の実施例は、
第１コアネットワークに接続される隣接セルのリストと、第２コアネットワークのみに接続される少なくとも１つの隣接セルのリストとを含み、
又は、第１コアネットワークのみに接続される隣接セルのリストと、第１コアネットワーク及び第２コアネットワークの両方に接続される隣接セルのリストと、第２コアネットワークのみに接続される少なくとも１つの隣接セルのリストとを含む、隣接セルリストを送信するように構成される第１通信ノードと、
第１コアネットワークに接続される隣接セルのリストと、第２コアネットワークのみに接続される少なくとも１つの隣接セルのリストと、を含み、
又は、第１コアネットワークのみに接続される隣接セルのリストと、第１コアネットワーク及び第２コアネットワークの両方に接続される隣接セルのリストと、第２コアネットワークのみに接続される少なくとも１つの隣接セルのリストとを含む、隣接セルリストを受信するように構成される第２通信ノードと、を備え、
第２コアネットワークをサポートしていない場合、第１コアネットワークに接続される隣接セルのリストにおける隣接セルに対して処理を行い、又は、第１コアネットワークのみに接続される隣接セルのリストと、第１コアネットワーク及び第２コアネットワークの両方に接続される隣接セルのリストにおける隣接セルに対して処理を行い、
又は、前記第２コアネットワークをサポートしている場合、すべての隣接セルのリストにおける隣接セルに対して処理を行う、セル処理システムを提供する。
【００１２】
本出願の実施例は、第１通信ノードが隣接セルリストを送信することを含み、そのうち、隣接セルリストは、第１コアネットワークに接続される隣接セルのリストと、第２コアネットワークのみに接続される少なくとも１つの隣接セルのリストを含み、又は、隣接セルリストは、第１コアネットワークのみに接続される隣接セルのリストと、第１コアネットワーク及び第２コアネットワークの両方に接続される隣接セルのリストと、第２コアネットワークのみに接続される少なくとも１つの隣接セルのリストとを含む。本出願の実施例の第１通信ノードは、隣接セルリストを送信し、つまり、第２コアネットワークのみに接続される隣接セルに対して、隣接セルリストを独立して配置することで、第２コアネットワークをサポートしない第２通信ノードに対して、第２コアネットワークのみに接続される隣接セルのリストにおける隣接セルに対して処理を行う必要がなく、第１コアネットワークに接続される隣接セルのリストに対して処理を行えばよい、セル処理に失敗することがなく、セル処理の効率が向上する。
【００１３】
本出願の実施例は、同時に移動的な指令を出してセル再選択を行う通信ノードの数を減らし、瞬時的なシグナリングストームを減少させることができるセル再選択方法、装置及びシステムを提供する。
【００１４】
本出願の実施例は、通信ノードがランダム化ヒステリシス閾値を受信することと、通信ノードがランダム化ヒステリシス閾値に応じて乱数を生成することと、通信ノードが乱数に応じてセル再選択を行うことと、を含む、セル再選択方法を提供する。
【００１５】
本出願の実施例は、通信ノードがランダム化ヒステリシス閾値を送信することを含む、セル再選択方法を提供する。
【００１６】
本出願の実施例は、
ランダム化ヒステリシス閾値を受信するように構成される受信モジュールと、
ランダム化ヒステリシス閾値に応じて乱数を生成するように構成される生成モジュールと、
乱数に応じてセル再選択を行うように構成される再選択モジュールと、を備える、
通信ノードを提供する。
【００１７】
本出願の実施例は、ランダム化ヒステリシス閾値を送信するように構成される送信モジュールを備える、通信ノードを提供する。
【００１８】
本出願の実施例は、プロセッサと、コンピュータ可読記憶媒体と、を備え、前記コンピュータ可読記憶媒体に、プロセッサによって実行されると上記のいずれかのセル再選択方法を実現する指令が記憶されている、通信ノードを提供する。
【００１９】
本出願の実施例は、プロセッサによって実行されると、上記のいずれかのセル再選択方法を実現するコンピュータプログラムが記憶されている、コンピュータ可読記憶媒体を提供する。
【００２０】
本出願の実施例は、
ランダム化ヒステリシス閾値を送信するように構成される第１通信ノードと、
ランダム化ヒステリシス閾値を受信し、ランダム化ヒステリシス閾値に応じて乱数を生成し、乱数に応じてセル再選択を行うように構成される第２通信ノードと、を備える、
セル再選択システムを提供する。
【００２１】
本出願の実施例は、通信ノードがランダム化ヒステリシス閾値を受信することと、通信ノードがランダム化ヒステリシス閾値に応じて乱数を生成することと、通信ノードが乱数に応じてセル再選択を行うことと、を含む。本出願の実施例は、乱数に応じてセル再選択を行い、乱数はランダム性があるため、異なる通信ノードの具体的な値も当然異なり、大量に集中しているＵＥ（例えば列車におけるＵＥ）が同時に移動するとき、すべてのＵＥのヒステリシス閾値が異なり、セル再選択のトリガ条件も異なるため、同時に移動的な指令を出してセル再選択を行う通信ノードの数を減らし、瞬時的なシグナリングストームを減少させる。
【００２２】
本出願の実施例は、サービス品質を向上させることができるセル再選択方法及び通信ノードを提供する。
【００２３】
本出願の実施例は、通信ノードがセル品質等価性閾値に応じてセル等価性品質区間を決定することと、通信ノードが、品質がセルの等価性品質区間内にある隣接セルと現在のサービングセルからなる集合を候補セルとして、セル傾向性再選択を行うことと、を含む、セル再選択方法を提供する。
【００２４】
本出願の実施例は、通信ノードが、セル品質等価性閾値及びセル再選択の傾向性指示の少なくとも一方を送信すること、を含む、セル再選択方法を提供する。
【００２５】
本出願の実施例は、
セル品質等価性閾値に応じてセル等価性品質区間を決定するように構成される決定モジュールと、
品質がセルの等価性品質区間内にある隣接セルと現在のサービングセルからなる集合を候補セルとして、セル傾向性再選択を行うように構成される再選択モジュールと、を備える、通信ノードを提供する。
【００２６】
本出願の実施例は、セル品質等価性閾値及びセル再選択の傾向性指示の少なくとも一方を送信するように構成される送信モジュール、を備える、通信ノードを提供する。
【００２７】
本出願の実施例は、プロセッサと、コンピュータ可読記憶媒体と、を備え、前記コンピュータ可読記憶媒体に、前記プロセッサによって実行されると、上記のいずれかのセル再選択方法を実現する指令が記憶されている、通信ノードを提供する。
【００２８】
本出願の実施例は、プロセッサによって実行されると、上記のいずれかのセル再選択方法を実現するコンピュータプログラムが記憶されている、コンピュータ可読記憶媒体を提供する。
【００２９】
本出願の実施例は、セル品質等価性閾値及びセル再選択の傾向性指示の少なくとも一方を送信するように構成される第１通信ノードと、
セル品質等価性閾値に応じてセル等価性品質区間を決定し、品質がセルの等価性品質区間内にある隣接セルと現在のサービングセルからなる集合を候補セルとして、セル傾向性再選択を行うように構成される第２通信ノードと、を備えるセル再選択システムを提供する。
【００３０】
本出願の実施例は、通信ノードがセル品質等価性閾値に応じてセル等価性品質区間を決定することと、通信ノードが、品質がセルの等価性品質区間内にある隣接セルと現在のサービングセルからなる集合を候補セルとして、セル傾向性再選択を行うことと、を含む。本出願の実施例は、隣接セルの品質がセル等価性品質区間内にあると、セル傾向性再選択を行い、サービス品質を向上させる。
【００３１】
本出願の実施例は、ＵＥの省エネを保証しながら、下りデータ及び下りシグナリングの少なくとも一方を受信することができる省エネ状態変換方法、装置及びシステムを提供する。
【００３２】
本出願の実施例は、基地局が、無線リソース制御接続を解放する第１指示情報を端末に送信し、省エネ状態に入る第２指示情報をコアネットワーク要素に送信すること、を含む、省エネ状態変換方法を提供する。
【００３３】
本出願の実施例は、コアネットワーク要素が、省エネ状態に入る指示情報を受信することと、端末に対応する基地局とコアネットワーク要素との接続を維持し、且つ、端末に対応する基地局とコアネットワーク要素との接続が省エネ状態に入ることと、端末に対応する基地局とコアネットワーク要素との間の接続が省エネ状態にあるとき、基地局が、上りデータ及び上りシグナリングの少なくとも一方を任意のタイミングでコアネットワーク要素に送信可能であることと、コアネットワーク要素が、ページング時間ウィンドウ及び予め定義されたデータ送信ウィンドウの少なくとも一方の内で、下りデータ及び下りシグナリングの少なくとも一方を基地局に送信することと、を含む、省エネ状態変換方法を提供する。
【００３４】
本出願の実施例は、無線リソース制御接続を解放する第１指示情報を端末に送信し、省エネ状態に入る第２指示情報をコアネットワーク要素に送信するように構成される送信モジュール、を備える、基地局を提供する。
【００３５】
本出願の実施例は、省エネ状態に入る指示情報を受信するように構成される受信モジュール、を備え、
端末に対応する基地局とコアネットワーク要素との接続を維持し、且つ、端末に対応する基地局とコアネットワーク要素との接続が省エネ状態に入り、
端末に対応する基地局とコアネットワーク要素との間の接続が省エネ状態にあるとき、基地局が、上りデータ及び上りシグナリングの少なくとも一方を任意のタイミングでコアネットワーク要素に送信可能であり、
コアネットワーク要素が、ページング時間ウィンドウ及び予め定義されたデータ送信ウィンドウの少なくとも一方の内で、下りデータ及び下りシグナリングの少なくとも一方を基地局に送信する、
コアネットワーク要素を提供する。
【００３６】
本出願の実施例は、プロセッサと、コンピュータ可読記憶媒体と、を備え、前記コンピュータ可読記憶媒体に、前記プロセッサによって実行されると、上記のいずれかの省エネ状態変換方法を実現する指令が記憶されている、基地局を提供する。
【００３７】
本出願の実施例は、プロセッサと、コンピュータ可読記憶媒体と、を備え、前記コンピュータ可読記憶媒体に、前記プロセッサによって実行されると、上記のいずれかの省エネ状態変換方法を実現する指令が記憶されている、コアネットワーク要素を提供する。
【００３８】
本出願の実施例は、プロセッサによって実行されると、上記のいずれかの省エネ状態変換方法を実現するコンピュータプログラムが記憶されている、コンピュータ可読記憶媒体を提供する。
【００３９】
本出願の実施例は、上記のいずれかの基地局と、上記のいずれかのコアネットワーク要素と、を備える、省エネ状態変換システムを提供する。
【００４０】
本出願の実施例は、基地局が、無線リソース制御接続を解放する第１指示情報を端末に送信し、省エネ状態に入る第２指示情報をコアネットワーク要素に送信すること、コアネットワーク要素が、省エネ状態に入る指示情報を受信することと、端末に対応する基地局とコアネットワーク要素との接続を維持し、且つ、端末に対応する基地局とコアネットワーク要素との接続が省エネ状態に入ることと、端末に対応する基地局とコアネットワーク要素との間の接続が省エネ状態にあるとき、基地局が、上りデータ及び上りシグナリングの少なくとも一方を任意のタイミングでコアネットワーク要素に送信可能であることと、コアネットワーク要素が、ページング時間ウィンドウ及び予め定義されたデータ送信ウィンドウの少なくとも一方の内で、下りデータ及び下りシグナリングの少なくとも一方を基地局に送信することと、を含む。前記下りデータは、ページング時間ウィンドウ及び予め定義されたデータ送信ウィンドウ関連パラメータ（例えば非アクセス層（Ｎｏｎ  Ａｃｃｅｓｓ  Ｓｔｒａｔｕｍ、ＮＡＳ）のページングｅＤＲＸパラメータ）の少なくとも一方を含み、前記下りシグナリングは、ページング時間ウィンドウ及び予め定義されたデータ送信ウィンドウ関連パラメータ（例えばＮＡＳ層のｅＤＲＸパラメータ）の少なくとも一方を含む。本出願の実施例は、端末に対応する基地局とコアネットワーク要素との接続を維持し、且つ、端末に対応する基地局とコアネットワーク要素との接続が省エネ状態に入ることで、端末に対応する基地局とコアネットワーク要素との接続が省エネ状態にあるとき、コアネットワーク要素は、ページング時間ウィンドウ及び予め定義されたデータ送信ウィンドウの少なくとも一方の内で、下りデータ及び下りシグナリングの少なくとも一方を基地局に送信し、ＵＥの省エネを実現しながら、下りデータ及び下りシグナリングの少なくとも一方を受信することができる。
【００４１】
又は、第１通信ノードは、ページングの拡張非連続受信（ｅｘｔｅｎｄｅｄ  ＤＲＸ、ｅＤＲＸ）配置情報と、省エネモード（Ｐｏｗｅｒ  Ｓａｖｉｎｇ  Ｍｏｄｅ、ＰＳＭ）配置情報と、ディープスリープモード（Ｄｅｅｐ  Ｓｌｅｅｐ  Ｍｏｄｅ、ＤＳＭ）配置情報との少なくとも一方を受信し、
前記第１通信ノードが、ｅＤＲＸ配置情報と、ＰＳＭ配置情報と、ＤＳＭ配置情報との少なくとも一方に応じて、ページング時間ウィンドウ又は予め定義されたデータ送信ウィンドウの外で、下りデータ及び下りシグナリングの少なくとも一方を受信するとき、前記第１通信ノードは、前記下りデータ及び下りシグナリングの少なくとも一方をバッファし、
前記第１通信ノードが、前記ページング時間ウィンドウ又は予め定義されたデータ送信ウィンドウの内で、前記第２通信ノードにページング・メッセージを送信し、前記第２通信ノードが無線リソース制御接続状態又は早期データ伝送状態に入った後、バッファされた下りデータ及び下りシグナリングの少なくとも一方を前記第２通信ノードに送信する。
【図面の簡単な説明】
【００４２】
図面は、本出願の実施例の技術的態様をさらに理解ためのものであり、明細書の一部を構成し、本出願の実施例とともに本出願の実施例の技術的態様を説明するためのものであり、本出願の実施例の技術的態様を限定するものではない。
【図１】関連技術における基地局がユーザデバイスに対して隣接セルリストを配置する模式図である。
【図２】本出願の実施例におけるセル処理方法のフローチャートである。
【図３】本出願の実施例における第１通信ノードが第２通信ノードに対して隣接セルリストを配置する模式図１である。
【図４】本出願の実施例における第１通信ノードが第２通信ノードに対して隣接セルリストを配置する模式図２である。
【図５】本出願の実施例における別のセル処理方法のフローチャートである。
【図６】本出願の実施例における第１通信ノードの構成模式図である。
【図７】本出願の実施例における通信ノードの構成模式図である。
【図８】本出願の実施例におけるセル処理システムの構成模式図である。
【図９】関連技術におけるネットワーク側がＵＥに対してヒステリシス閾値を配置する模式図である。
【図１０】本出願の実施例におけるセル再選択方法のフローチャートである。
【図１１】本出願の実施例における別のセル再選択方法のフローチャートである。
【図１２】本出願の実施例ネットワーク側がＵＥに対して元ヒステリシス閾値及びランダム化ヒステリシス閾値を配置する模式図である。
【図１３】本出願の実施例における別の通信ノードの構成模式図である。
【図１４】本出願の実施例におけるさらに別の通信ノードの構成模式図である。
【図１５】本出願の実施例におけるセル再選択システムの構成模式図である。
【図１６】本出願の実施例におけるさらに別のセル再選択方法のフローチャートである。
【図１７】本出願の実施例におけるまたさらに別のセル再選択方法のフローチャートである。
【図１８】本出願の実施例におけるＵＥが、基地局によって配置されたセル品質等価性閾値及びセル再選択の傾向性指示に基づいてセル再選択を行う模式図である。
【図１９】本出願の実施例におけるまたさらに別の通信ノードの構成模式図である。
【図２０】本出願の実施例におけるまたさらに別の通信ノードの構成模式図である。
【図２１】本出願の実施例における別のセル再選択システムの構成模式図である。
【図２２】本出願の実施例における省エネ状態変換方法のフローチャートである。
【図２３】本出願の実施例における別の省エネ状態変換方法のフローチャートである。
【図２４】本出願の実施例における基地局の構成模式図である。
【図２５】本出願の実施例におけるコアネットワーク要素の構成模式図である。
【図２６】本出願の実施例における省エネ状態変換システムの構成模式図である。
【図２７】本出願の実施例におけるコアネットワーク要素が第３指示情報を基地局に送信する模式図である。
【発明を実施するための形態】
【００４３】
以下、図面を参照して、本出願の実施例について詳細に説明する。なお、上記の本出願の実施例及び実施例における特徴は、衝突することなく互いに任意に組み合わせることができる。
【００４４】
図面におけるフローチャートに示されたステップは、コンピュータ実行可能な指令のセットなどのコンピュータシステムで実行されることができる。また、フローチャートに論理的な順序が示されているが、本明細書に示された、又は記載されたステップは、異なる順序で実行される場合もある。
【００４５】
現在、図１に示すように、基地局１１は、ユーザデバイス（Ｕｓｅｒ  Ｅｑｕｉｐｍｅｎｔ、ＵＥ）１２のみに対して１つの隣接セルリストを配置し、ＵＥ１２が隣接セルを測定する際に、隣接セルリストにおけるすべての隣接セルを測定対象の隣接セルとし、ＵＥ１２がセル再選択を行う際に、隣接セルリストにおけるすべての隣接セルを候補セルとする。
【００４６】
上記の方法では、隣接セル測定又はセル再選択の度に、隣接セルリストにおけるすべての隣接セルを測定対象の隣接セル又はセル再選択の候補セルとする必要がある、隣接セルリストには、一部の隣接セルがＥＰＣのみに接続され、一部の隣接セルがＥＰＣ及び５ＧＣに同時に接続され、一部の隣接セルが５ＧＣのみに接続されている場合があるが、ＵＥは、５ＧＣをサポートしている可能性もあるし、５ＧＣをサポートしていない可能性もあるため、隣接セル測定又はセル再選択を行う際に、５ＧＣをサポートしていないＵＥが、５ＧＣに接続された隣接セルを選択すると、隣接セル測定結果が不正確になったり、セル再選択が失敗したりして、隣接セル測定又はセル再選択をやり直す必要があり、隣接セル測定又はセル再選択の効率が低くなる。
【００４７】
図２を参照すると、本出願の一実施例は、ステップ２００を含むセル処理方法を提案する。
【００４８】
ステップ２００では、第１通信ノードは、隣接セルリストを送信する。
【００４９】
上記の本出願の実施例において、第１通信ノードは、ブロードキャストメッセージを送信するように隣接セルリストを送信することができ、即ち、ブロードキャストメッセージに隣接セルリストが含まれている。
【００５０】
そのうち、隣接セルリストは、第１コアネットワークに接続される隣接セルのリストと、第２コアネットワークのみに接続される少なくとも１つの隣接セルのリストとを含み、又は、隣接セルリストは、第１コアネットワークのみに接続される隣接セルのリストと、第１コアネットワーク及び第２コアネットワークの両方に接続される隣接セルのリストと、第２コアネットワークのみに接続される少なくとも１つの隣接セルのリストとを含む。
【００５１】
例えば、図３に示すように、第１通信ノード３１は、第１コアネットワークに接続される隣接セルのリストと、第２コアネットワークのみに接続される少なくとも１つの隣接セルのリストとを第２通信ノード３２に対して配置する。
【００５２】
図４に示すように、第１通信ノード３１は、第１コアネットワークのみに接続される隣接セルのリストと、第１コアネットワーク及び第２コアネットワークの両方に接続される隣接セルのリストと、第２コアネットワークのみに接続される少なくとも１つの隣接セルのリストとを第２通信ノード３２に対して配置する。
【００５３】
そのうち、第２コアネットワークをサポートする端末は、第１コアネットワークも同時にサポートし、第１コアネットワークをサポートする端末は、必ずしも第２コアネットワークをサポートするとは限らない。例えば、第１コアネットワークは、ＥＰＣであってもよく、第２コアネットワークは、５ＧＣであってもよい。
【００５４】
そのうち、第１コアネットワークに接続される隣接セルのリスト又は第１コアネットワークのみに接続される隣接セルのリストは、関連するブロードキャストメッセージの元の隣接セルリストを運ぶフィールドで運ばれることができ、第２コアネットワークのみに接続される少なくとも１つの隣接セルのリストと、第１コアネットワーク及び第２コアネットワークの両方に接続される隣接セルのリストとは、ブロードキャストメッセージの新規フィールド、アイドルフィールド、又は元の隣接セルリストを運ぶフィールドにおけるアイドルビットで運ばれることができる。
【００５５】
そのうち、第１コアネットワークに接続される隣接セルのリストは、第１コアネットワークのみに接続される少なくとも１つの隣接セルの隣接セル情報と、第１コアネットワーク及び第２コアネットワークの両方に接続される少なくとも１つの隣接セルの隣接セル情報とを含む。
【００５６】
第１コアネットワークのみに接続される隣接セルのリストは、第１コアネットワークのみに接続される少なくとも１つの隣接セルの隣接セル情報を含む。
【００５７】
第２コアネットワークのみに接続される隣接セルのリストは、第２コアネットワークのみに接続される少なくとも１つの隣接セルの隣接セル情報を含む。
【００５８】
第１コアネットワーク及び第２コアネットワークの両方に接続される隣接セルのリストは、第１コアネットワーク及び第２コアネットワークの両方に接続される少なくとも１つの隣接セルの隣接セル情報を含む。
【００５９】
つまり、第２コアネットワークのみに接続される隣接セルに対して、隣接セルリストを独立して配置することで、第２コアネットワークをサポートしない第２通信ノードに対して、第２コアネットワークのみに接続される隣接セルのリストにおける隣接セルに対して処理を行う必要がなく、第１コアネットワークに接続される隣接セルのリストに対して処理を行えばよい。セル処理に失敗することがなく、セル処理の効率が向上する。
【００６０】
上記の隣接セルリストは、同周波数隣接セルのリスト及び異周波数隣接セルのリストの少なくとも一方を含む。
【００６１】
上記の隣接セルリストは、少なくとも１つの隣接セルの隣接セル情報を含み、隣接セル情報は、周波数点と、セル指標（即ち、物理的セルＩＤ）と、第２通信ノードのセル内のキャンプに必要な最小受信レベル閾値（Ｍｉｎｉｍｕｍ  Ｒｅｑｕｉｒｅｄ  ＲＸ  ｌｅｖｅｌ  ｉｎ  ｔｈｅ  ｃｅｌｌ）と、第２通信ノードのセル内のキャンプに必要な最小品質レベル閾値（Ｍｉｎｉｍｕｍ  ｒｅｑｕｉｒｅｄ  ｑｕａｌｉｔｙ  ｌｅｖｅｌ  ｉｎ  ｔｈｅ  ｃｅｌｌ）と、セル再選択オフセット（Ｑｏｆｆｓｅｔ）と、セル再選択の周波数オフセット（ＱＯｆｆｓｅｔＦｒｅｑ）と、セルが許可する第２通信ノードの最大送信電力（ＰＭａｘ）と、帯域が許可する第２通信ノードの最大送信電力（ａｄｄｉｔｉｏｎａｌ  ＰＭａｘ）と、隣接セル特性との少なくとも一方を含む。
【００６２】
そのうち、隣接セル特性は、セルが第１コアネットワークに接続されることと、セルが第２コアネットワークに接続されることと、セルに接続される第２コアネットワークのユーザプレーン最適化案に対するサポート情報と、セルに接続される第２コアネットワークの第２通信ノードの省エネ状態に対するサポート情報と、セル選択の重みと、セルに接続される第２コアネットワークの他の最適化特性及びコアネットワークタイプの少なくとも一方と、の少なくとも一方を含む。
【００６３】
そのうち、セルに接続される第２コアネットワークのユーザプレーン最適化案に対するサポート情報は、セルに接続される第２コアネットワークがユーザプレーン最適化案をサポートすることと、セルに接続される第２コアネットワークがユーザプレーン最適化案をサポートしないことと、のいずれかを含み、
セルに接続される第２コアネットワークの第２通信ノードの省エネ状態に対するサポート情報は、セルに接続される第２コアネットワークが第２通信ノードの省エネ状態をサポートすることと、セルに接続される第２コアネットワークが第２通信ノードの省エネ状態をサポートしないことと、のいずれかを含む。
【００６４】
そのうち、第２コアネットワークがユーザプレーン最適化案をサポートするとは、ＵＥがＩＤＬＥモードのコンテキスト・サスペンド状態に入った後、次のトラフィックが確立されるときに、ＵＥのコンテキストを復帰することによってＵＥ接続を迅速に回復できることである。
【００６５】
そのうち、省エネ状態は、
拡張非連続受信（ｅｘｔｅｎｄｅｄ  Ｄｉｓｃｏｎｔｉｎｕｏｕｓ  Ｒｅｃｅｐｔｉｏｎ、ｅＤＲＸ）状態と、低電力モード（Ｐｏｗｅｒ  Ｓａｖｉｎｇ  Ｍｏｄｅ、ＰＳＭ）状態と、ディープスリープモード（Ｄｅｅｐ  Ｓｌｅｅｐ  Ｍｏｄｅ、ＤＳＭ）状態との少なくとも一方に前記第２通信ノードが入ると、前記第２通信ノードに対応する前記第１通信ノードとコアネットワーク要素との接続は維持され、且つ、前記第２通信ノードに対応する前記第１通信ノードとコアネットワーク要素との接続は省エネ状態に入るという特性と、
前記第２通信ノードに対応する前記第１通信ノードとコアネットワーク要素との接続が省エネ状態にあるとき、前記第１通信ノードは、上りデータ及び上りシグナリングの少なくとも一方を任意のタイミングで前記コアネットワーク要素に送信可能であるという特性と、
前記コアネットワーク要素は、ページング時間ウィンドウ及び予め定義されたデータ送信ウィンドウの少なくとも一方の内で、下りデータ及び下りシグナリングの少なくとも一方を前記第１通信ノードに送信するという特性と、を含む。
【００６６】
又は、省エネ状態は、
第１通信ノードが、ｅＤＲＸ配置情報と、ＰＳＭ配置情報と、ＤＳＭ配置情報との少なくとも一方を受信するという特性と、
前記第１通信ノードが、ｅＤＲＸ配置情報と、ＰＳＭ配置情報と、ＤＳＭ配置情報との少なくとも一方に応じて、ページング時間ウィンドウ又は予め定義されたデータ送信ウィンドウの外で、下りデータ及び下りシグナリングの少なくとも一方を受信するとき、前記第１通信ノードは、前記下りデータ及び下りシグナリングの少なくとも一方をバッファするという特性と、
前記第１通信ノードが、前記ページング時間ウィンドウ又は予め定義されたデータ送信ウィンドウの内で、前記第２通信ノードにページング・メッセージを送信し、前記第２通信ノードが無線リソース制御接続状態又は早期データ伝送状態に入った後、バッファされた下りデータ及び下りシグナリングの少なくとも一方を前記第２通信ノードに送信するという特性と、を含む。
【００６７】
前記第１通信ノードが、ｅＤＲＸ配置情報と、ＰＳＭ配置情報と、ＤＳＭ配置情報との少なくとも一方に応じて、ページング時間ウィンドウ又は予め定義されたデータ送信ウィンドウの内で、下りデータ及び下りシグナリングの少なくとも一方を受信するとき、前記第１通信ノードは、前記第２通信ノードにページング・メッセージを送信し、前記第２通信ノードが無線リソース制御接続状態又は早期データ伝送状態に入った後、下りデータ及び下りシグナリングの少なくとも一方を前記第２通信ノードに送信する。
【００６８】
そのうち、コアネットワーク要素は、ＰＳＭ配置情報、ｅＤＲＸ配置情報、又はＤＳＭ配置情報を、専用シグナリングを介して第１通信ノードに送信することができる。
【００６９】
そのうち、専用シグナリングは、初期コンテキスト確立要求（ＩＮＩＴＩＡＬ  ＣＯＮＴＥＸＴ  ＳＥＴＵＰ  ＲＥＱＵＥＳＴ）と、ＵＥコンテキスト解放要求（ＵＥ  ＣＯＮＴＥＸＴ  ＲＥＬＥＡＳＥ  ＲＥＱＵＥＳＴ）と、ＵＥコンテキスト修正要求（ＵＥ  ＣＯＮＴＥＸＴ  ＭＯＤＩＦＩＣＡＴＩＯＮ  ＲＥＱＵＥＳＴ）と、ＵＥコンテキスト一時停止要求（ＵＥ  ＣＯＮＴＥＸＴ  ＳＵＳＰＥＮＤ  ＲＥＱＵＥＳＴ）と、ＵＥコンテキスト復帰要求（ＵＥ  ＣＯＮＴＥＸＴ  ＲＥＳＵＭＥ  ＲＥＳＰＯＮＳＥ）と、Ｎｇポートに対応するメッセージと、のいずれかを含む。
【００７０】
そのうち、ＰＳＭ配置情報は、ＰＳＭ活性化タイマ及びＰＳＭ時間長の少なくとも一方を含む。
【００７１】
ＤＳＭ配置情報は、ＤＳＭ活性化タイマ及びＤＳＭ時間長の少なくとも一方を含む。
【００７２】
そのうち、ＰＳＭ時間長又はＤＳＭ時間長は、周期的なトラッキングエリア更新（Ｔｒａｃｋｉｎｇ  Ａｒｅａ  Ｕｐｄａｔｅ、ＴＡＵ）／ルーティングエリア更新（Ｒｏｕｔｅ  Ａｒｅａ  Ｕｐｄａｔｅ、ＲＡＵ）タイマ（例えば、Ｔ３４１２、Ｔ３４１２拡張値、Ｔ３３１２、又はＴ３３１２拡張値など）を利用して実現されることができる。
【００７３】
ｅＤＲＸ配置情報は、ｅＤＲＸ周期及びＰＴＷ長の少なくとも一方を含む。
【００７４】
上記の本出願の実施例において、第２コアネットワークのみに接続されるすべての隣接セルに対して１つの隣接セルリストを配置してもよいし、隣接セル特性に応じて第２コアネットワークのみに接続されるすべての隣接セル配置に対して２つ又は２つ以上の隣接セルリストを配置してもよい。
【００７５】
例えば、第２コアネットワークのみに接続されるすべての隣接セルに対して、２つの隣接セルリスト、即ち、隣接セルリスト１及び隣接セルリスト２を配置してもよい。そのうち、隣接セルリスト１における隣接セルの隣接セル特性は、接続される第２コアネットワークがユーザプレーン最適化案をサポートしておらず、隣接セルリスト２における隣接セルの隣接セル特性は、接続される第２コアネットワークがユーザプレーン最適化案をサポートしている。
【００７６】
図５を参照すると、本出願の別の実施例は、ステップ５００とステップ５０１とを含むセル処理方法を提案する。
【００７７】
ステップ５００では、通信ノードは、隣接セルリストを受信する。
【００７８】
上記の本出願の実施例において、通信ノードは、隣接セルリストを含むブロードキャストメッセージを受信してもよい。
【００７９】
そのうち、隣接セルリストは、第１コアネットワークに接続される隣接セルのリストと、第２コアネットワークのみに接続される少なくとも１つの隣接セルのリストとを含み、又は、隣接セルリストは、第１コアネットワークのみに接続される隣接セルのリストと、第１コアネットワーク及び第２コアネットワークの両方に接続される隣接セルのリストと、第２コアネットワークのみに接続される少なくとも１つの隣接セルのリストとを含む。
【００８０】
そのうち、第１コアネットワークに接続される隣接セルのリストは、第１コアネットワークのみに接続される少なくとも１つの隣接セルの隣接セル情報と、第１コアネットワーク及び第２コアネットワークの両方に接続される少なくとも１つの隣接セルの隣接セル情報とを含む。
【００８１】
第１コアネットワークのみに接続される隣接セルのリストは、第１コアネットワークのみに接続される少なくとも１つの隣接セルの隣接セル情報を含む。
【００８２】
第２コアネットワークのみに接続される隣接セルのリストは、第２コアネットワークのみに接続される少なくとも１つの隣接セルの隣接セル情報を含む。
【００８３】
第１コアネットワーク及び第２コアネットワークの両方に接続される隣接セルのリストは、第１コアネットワーク及び第２コアネットワークの両方に接続される少なくとも１つの隣接セルの隣接セル情報を含む。
【００８４】
つまり、第２コアネットワークのみに接続される隣接セルに対して隣接セルリストを独立して配置することで、第２コアネットワークをサポートしない通信ノードに対して、第２コアネットワークのみに接続される隣接セルのリストにおける隣接セルに対して処理を行う必要がなく、第１コアネットワークに接続される隣接セルのリストに対して処理を行えばよい、セル処理に失敗することがなく、セル処理の効率が向上する。
【００８５】
上記の隣接セルリストは、同周波数隣接セルのリスト及び異周波数隣接セルのリストの少なくとも一方を含む。
【００８６】
上記の隣接セルリストは、少なくとも１つの隣接セルの隣接セル情報を含み、隣接セル情報は、周波数点と、セル指標（即ち、物理的セルＩＤ）と、通信ノードのセル内のキャンプに必要な最小受信レベル閾値（Ｍｉｎｉｍｕｍ  Ｒｅｑｕｉｒｅｄ  ＲＸ  ｌｅｖｅｌ  ｉｎ  ｔｈｅ  ｃｅｌｌ）と、通信ノードのセル内のキャンプに必要な最小品質レベル閾値（Ｍｉｎｉｍｕｍ  ｒｅｑｕｉｒｅｄ  ｑｕａｌｉｔｙ  ｌｅｖｅｌ  ｉｎ  ｔｈｅ  ｃｅｌｌ）と、セル再選択オフセット（Ｑｏｆｆｓｅｔ）と、セル再選択の周波数オフセット（ＱＯｆｆｓｅｔＦｒｅｑ）と、セルが許可する通信ノードの最大送信電力（ＰＭａｘ）と、帯域が許可する通信ノードの最大送信電力（ａｄｄｉｔｉｏｎａｌ  ＰＭａｘ）と、セル特性との少なくとも一方を含む。
【００８７】
そのうち、セル特性は、セルが第１コアネットワークに接続されることと、セルが第２コアネットワークに接続されることと、セルに接続される第２コアネットワークのユーザプレーン最適化案に対するサポート情報と、セルに接続される第２コアネットワークの通信ノードの省エネ状態に対するサポート情報と、セル選択の重みと、セルに接続される第２コアネットワークの他の最適化特性及びコアネットワークタイプの少なくとも一方と、の少なくとも一方を含む。
【００８８】
そのうち、セルに接続される第２コアネットワークのユーザプレーン最適化案に対するサポート情報は、セルに接続される第２コアネットワークがユーザプレーン最適化案をサポートすることと、セルに接続される第２コアネットワークがユーザプレーン最適化案をサポートしないことと、のいずれかを含み、
セルに接続される第２コアネットワークの通信ノードの省エネ状態に対するサポート情報は、セルに接続される第２コアネットワークが通信ノードの省エネ状態をサポートすることと、セルに接続される第２コアネットワークが通信ノードの省エネ状態をサポートしないことと、のいずれかを含む。
【００８９】
そのうち、第２コアネットワークがユーザプレーン最適化案をサポートするとは、ＵＥがＩＤＬＥモードのコンテキスト・サスペンド状態に入った後、次のトラフィックが確立されるときに、ＵＥのコンテキストを復帰することによってＵＥ接続を迅速に回復できることである。
【００９０】
上記の本出願の実施例において、第２コアネットワークのみに接続されるすべての隣接セルに対して１つの隣接セルリストを配置してもよいし、隣接セル特性に応じて第２コアネットワークのみに接続されるすべての隣接セルに対して、２つ又は２つ以上の隣接セルリストを配置してもよい。
【００９１】
例えば、第２コアネットワークのみに接続されるすべての隣接セルに対して、２つの隣接セルリスト、即ち、隣接セルリスト１及び隣接セルリスト２を配置してもよい。そのうち、隣接セルリスト１における隣接セルの隣接セル特性は、接続される第２コアネットワークがユーザプレーン最適化案をサポートしておらず、隣接セルリスト２における隣接セルの隣接セル特性は、接続される第２コアネットワークがユーザプレーン最適化案をサポートしている。
【００９２】
ステップ５０１では、通信ノードが第２コアネットワークをサポートしていない場合、通信ノードは、第１コアネットワークに接続される隣接セルのリストにおける隣接セルに対して処理を行い、又は、第１コアネットワークのみに接続される隣接セルのリストと、第１コアネットワーク及び第２コアネットワークの両方に接続される隣接セルのリストにおける隣接セルとに対して処理を行い、又は、通信ノードが前記第２コアネットワークをサポートしている場合、通信ノードは、すべての隣接セルリストにおける隣接セルに対して処理を行う。
【００９３】
上記の本出願の実施例において、第２コアネットワークをサポートしない通信ノードは、ブロードキャストメッセージの中で元の隣接セルリストを運ぶフィールドだけから、第１コアネットワークに接続される隣接セルのリスト、又は第１コアネットワークのみに接続される隣接セルのリストを取得することができ、ブロードキャストメッセージにおける新規フィールド、アイドルフィールド及び元の隣接セルリストを運ぶフィールドにおけるアイドルビットから、第２コアネットワークのみに接続される少なくとも１つの隣接セルのリストと、第１コアネットワーク及び第２コアネットワークの両方に接続される隣接セルのリストと、を取得することができない。そのため、第２コアネットワークをサポートしない通信ノードは、ブロードキャストメッセージだけから、第１コアネットワークに接続される隣接セルのリスト又は第１コアネットワークのみに接続される隣接セルのリストを取得することができる。
【００９４】
しかし、第２コアネットワークをサポートしている通信ノードでは、ブロードキャストメッセージからすべての隣接セルリストを取得することができる。
【００９５】
上記の本出願の実施例において、すべての隣接セルリストにおける隣接セルに対して処理を行うことは、通信ノードが、すべての隣接セルリストにおける隣接セルの和集合を測定対象の隣接セルとして隣接セル測定を行うことを含む。一実施例では、通信ノードは、第１コアネットワークに接続される隣接セルのリストにおける隣接セルと、第２コアネットワークのみに接続される少なくとも１つの隣接セルのリストにおける隣接セルとの和集合を、測定対象の隣接セルとして隣接セル測定を行い、又は、第１コアネットワークのみに接続される隣接セルのリストにおける隣接セルと、第１コアネットワーク及び第２コアネットワークの両方に接続される隣接セルのリストにおける隣接セルと、第２コアネットワークのみに接続される少なくとも１つの隣接セルのリストにおける隣接セルとの和集合を、測定対象の隣接セルとして隣接セル測定を行う。
【００９６】
又は、通信ノードは、すべての隣接セルリストにおける隣接セルの和集合を候補セルとしてセル再選択を行う。一実施例では、通信ノードは、第１コアネットワークに接続される隣接セルのリストにおける隣接セルと、第２コアネットワークのみに接続される少なくとも１つの隣接セルのリストおける隣接セルとの和集合を、候補セルとしてセル再選択を行い、又は、第１コアネットワークのみに接続される隣接セルのリストにおける隣接セルと、第１コアネットワーク及び第２コアネットワークの両方に接続される隣接セルのリストにおける隣接セルと、第２コアネットワークのみに接続される少なくとも１つの隣接セルのリストにおける隣接セルとの和集合を、候補セルとしてセル再選択を行う。
【００９７】
上記の本出願の実施例において、第１コアネットワークに接続される隣接セルのリストにおける隣接セルに対して処理を行うことは、通信ノードが、前記第１コアネットワークに接続される隣接セルのリストにおける隣接セルの和集合を測定対象の隣接セルとして隣接セル測定を行うこと、を含み、又は、通信ノードが、前記第１コアネットワークに接続される隣接セルのリストにおける隣接セルの和集合を候補セルとしてセル再選択を行うこと、を含む。
【００９８】
上記の本出願の実施例において、第１コアネットワークのみに接続される隣接セルのリストと、第１コアネットワーク及び第２コアネットワークの両方に接続される隣接セルのリストにおける隣接セルとに対して処理を行うことは、通信ノードが、第１コアネットワークのみに接続される隣接セルのリストと、第１コアネットワーク及び第２コアネットワークの両方に接続される隣接セルのリストにおける隣接セルとの和集合を、測定対象の隣接セルとして隣接セル測定を行うこと、を含み、又は、通信ノードが、第１コアネットワークのみに接続される隣接セルのリストと、第１コアネットワーク及び第２コアネットワークの両方に接続される隣接セルのリストにおける隣接セルとの和集合を、候補セルとしてセル再選択を行うこと、を含む。
【００９９】
上記の本出願の実施例において、第２コアネットワークをサポートしない第２通信ノードに対して、第２コアネットワークのみに接続される隣接セルのリストにおける隣接セルに対して処理を行う必要がなく、第１コアネットワークに接続される隣接セルのリストに対して処理を行えばよい、セル処理に失敗することがなく、セル処理の効率が向上する。
【０１００】
なお、上記の隣接セルリストは、隣接セルの集合を用いて同等に代替してもよい。
【０１０１】
一実施例において、通信ノードが隣接セルに対して処理を行うことは、
通信ノードがセル品質等価性閾値に応じてセル等価性品質区間を決定することと、
通信ノードが第２コアネットワークをサポートしていない場合、通信ノードが、第１コアネットワークに接続される隣接セルのリスト、又は第１コアネットワークのみに接続される隣接セルのリストと、第１コアネットワーク及び第２コアネットワークの両方に接続される隣接セルのリストとのうち、品質がセルの等価性品質区間内にある隣接セル的セル特性と現在のサービングセルとを、セル特性に基づいて通信ノードの能力とマッチングして、セル傾向性再選択を行うことと、
又は、通信ノードが前記第２コアネットワークをサポートしている場合、通信ノードが、すべての隣接セルリストのうち、品質がセルの等価性品質区間内にある隣接セルのセル特性と、現在のサービングセルとを、セル特性に基づいて通信ノードの能力とマッチングしてセル傾向性再選択を行うことと、を含む。
【０１０２】
そのうち、通信ノードの能力とは、通信ノードが第２コアネットワークをサポートしているかどうかである。例えば、セル特性が第１コアネットワーク又は第２コアネットワークにセルに接続されることである場合、第２コアネットワークをサポートする通信ノードは、第２コアネットワークに接続されるセルをサービングセルとして優先的に選択する。
【０１０３】
上記の第１通信ノードと、第２通信ノードと、図５に示す通信ノードとは、任意の通信ノードであってもよく、例えば、第１通信ノードが、ＮＢ−ＩｏＴ基地局やｅＭＴＣ基地局などの基地局であり、第２通信ノードは、ＵＥなどである。
【０１０４】
図６を参照すると、本出願の別の実施例は、送信モジュール６０１を備える通信ノードを提案する。
【０１０５】
送信モジュール６０１は、隣接セルリストを送信するように構成される。そのうち、隣接セルリストは、
第１コアネットワークに接続される隣接セルのリストと、第２コアネットワークのみに接続される少なくとも１つの隣接セルのリストとを含み、
又は、第１コアネットワークのみに接続される隣接セルのリストと、第１コアネットワーク及び第２コアネットワークの両方に接続される隣接セルのリストと、第２コアネットワークのみに接続される少なくとも１つの隣接セルのリストとを含む。
【０１０６】
一実施例では、送信モジュール６０１は、隣接セルリストを含むブロードキャストメッセージを送信するように構成される。
【０１０７】
一実施例では、前記隣接セルリストは、同周波数隣接セルのリスト及び異周波数隣接セルのリストの少なくとも一方を含む。
【０１０８】
一実施例では、前記第１コアネットワークに接続される隣接セルのリストは、第１コアネットワークのみに接続される少なくとも１つの隣接セルの隣接セル情報と、第１コアネットワーク及び第２コアネットワークの両方に接続される少なくとも１つの隣接セルの隣接セル情報とを含む。
【０１０９】
一実施例では、前記隣接セルリストは、少なくとも１つの隣接セルの隣接セル情報を含み、前記隣接セル情報は、
周波数点と、セル指標と、第２通信ノードのセル内のキャンプに必要な最小受信レベル閾値と、第２通信ノードのセル内のキャンプに必要な最小品質レベル閾値と、再選択オフセットと、セル再選択の周波数オフセットと、セルが許可する第２通信ノードの最大送信電力と、帯域が許可する第２通信ノードの最大送信電力と、セル特性との少なくとも一方を含む。
【０１１０】
一実施例では、セル特性は、
セルが第１コアネットワークに接続されることと、セルが第２コアネットワークに接続されることと、セルに接続される第２コアネットワークのユーザプレーン最適化案に対するサポート情報と、セルに接続される第２コアネットワークの第２通信ノードの省エネ状態に対するサポート情報と、セル選択の重みとの少なくとも一方を含む。
【０１１１】
一実施例では、省エネ状態は、
ｅＤＲＸ状態と、ＰＳＭ状態と、ＤＳＭ状態との少なくとも一方に前記第２通信ノードが入ると、前記第２通信ノードに対応する前記第１通信ノードとコアネットワーク要素との接続は維持され、且つ、前記第２通信ノードに対応する前記第１通信ノードとコアネットワーク要素との接続は省エネ状態に入るという特性と、
前記第２通信ノードに対応する前記第１通信ノードとコアネットワーク要素との接続が、省エネ状態にあるとき、前記第１通信ノードは、上りデータ及び上りシグナリングの少なくとも一方を任意のタイミングで前記コアネットワーク要素に送信可能であるという特性と、
前記コアネットワーク要素は、ページング時間ウィンドウ及び予め定義されたデータ送信ウィンドウの少なくとも一方の内で、下りデータ及び下りシグナリングの少なくとも一方を前記第１通信ノードに送信するという特性と、を含む。
【０１１２】
一実施例では、省エネ状態は、
前記第１通信ノードが、ｅＤＲＸ配置情報と、ＰＳＭ配置情報と、ＤＳＭ配置情報との少なくとも一方を受信するという特性と、
前記第１通信ノードが、ｅＤＲＸ配置情報と、ＰＳＭ配置情報と、ＤＳＭ配置情報との少なくとも一方に応じて、ページング時間ウィンドウ又は予め定義されたデータ送信ウィンドウの外で、下りデータ及び下りシグナリングの少なくとも一方を受信するとき、前記第１通信ノードは、下りデータ及び下りシグナリングの少なくとも一方をバッファするという特性と、
前記第１通信ノードは、前記ページング時間ウィンドウ又は予め定義されたデータ送信ウィンドウの内で、前記第２通信ノードにページング・メッセージを送信し、前記第２通信ノードが無線リソース制御接続状態又は早期データ伝送状態に入った後、バッファされた下りデータ及び下りシグナリングの少なくとも一方を前記第２通信ノードに送信するという特性と、を含む。
【０１１３】
一実施例では、省エネ状態は、
前記第１通信ノードが、ｅＤＲＸ配置情報と、ＰＳＭ配置情報と、ＤＳＭ配置情報との少なくとも一方を受信するという特性と、
前記第１通信ノードが、ｅＤＲＸ配置情報と、ＰＳＭ配置情報と、ＤＳＭ配置情報との少なくとも一方に応じて、ページング時間ウィンドウ又は予め定義されたデータ送信ウィンドウの内で、下りデータ及び下りシグナリングの少なくとも一方を受信するとき、前記第１通信ノードは、前記第２通信ノードにページング・メッセージを送信し、前記第２通信ノードが無線リソース制御接続状態又は早期データ伝送状態に入った後、下りデータ及び下りシグナリングの少なくとも一方を前記第２通信ノードに送信するという特性と、を含む。
【０１１４】
そのうち、端末がページング・メッセージを受信した後、端末は、ＰＲＡＣＨプロセスを開始し、ＲＲＣ接続状態又はＥＤＴ状態に入る。
【０１１５】
図７を参照すると、本出願の別の実施例は、受信モジュール７０１と、処理モジュール７０２とを備える通信ノードを提案する。
【０１１６】
受信モジュール７０１は、隣接セルリストを受信するように構成される。そのうち、隣接セルリストは、
第１コアネットワークに接続される隣接セルのリストと、第２コアネットワークのみに接続される少なくとも１つの隣接セルのリストとを含み、
又は、第１コアネットワークのみに接続される隣接セルのリストと、第１コアネットワーク及び第２コアネットワークの両方に接続される隣接セルのリストと、第２コアネットワークのみに接続される少なくとも１つの隣接セルのリストとを含む。
【０１１７】
処理モジュール７０２は、第２コアネットワークをサポートしていない場合、第１コアネットワークに接続される隣接セルのリスト、又は第２コアネットワークのみに接続される隣接セルのリストと、第１コアネットワーク及び第２コアネットワークの両方に接続される隣接セルのリストにおける隣接セルに対して処理を行い、
又は、前記第２コアネットワークをサポートしている場合、すべての隣接セルのリストにおける隣接セルに対して処理を行う、ように構成される。
【０１１８】
一実施例では、受信モジュール７０１は、隣接セルリストを含むブロードキャストメッセージを受信するように構成される。
【０１１９】
一実施例では、処理モジュール７０２は、すべての隣接セルリストにおける隣接セルの和集合を測定対象の隣接セルとして隣接セル測定を行い、又は、すべての隣接セルリストにおける隣接セルの和集合を候補セルとしてセル再選択を行う、ように構成される。
【０１２０】
一実施例では、処理モジュール７０２は、
前記第１コアネットワークに接続される隣接セルのリスト、又は前記第２コアネットワークのみに接続される隣接セルのリストと、第１コアネットワーク及び第２コアネットワークの両方に接続される隣接セルのリストにおける隣接セルとの和集合を、測定対象の隣接セルとして隣接セル測定を行い、
又は、前記第１コアネットワークに接続される隣接セルのリスト、又は前記第２コアネットワークのみに接続される隣接セルのリストと、第１コアネットワーク及び第２コアネットワークの両方に接続される隣接セルのリストにおける隣接セルとの和集合を、候補セルとしてセル再選択を行う、ように構成される。
【０１２１】
一実施例では、隣接セルリストは、少なくとも１つの隣接セルの隣接セル情報を含み、前記隣接セル情報は、周波数点と、セル指標と、通信ノードのセル内のキャンプに必要な最小受信レベル閾値と、通信ノードのセル内のキャンプに必要な最小品質レベル閾値と、セル再選択オフセットと、セル再選択の周波数オフセットと、セルが許可する通信ノード最大送信電力と、帯域が許可する通信ノード最大送信電力と、セル特性との少なくとも一方を含む。
【０１２２】
一実施例では、処理モジュール７０２は、さらに、
セル品質等価性閾値に応じてセル等価性品質区間を決定し、
第２コアネットワークをサポートしていない場合、第１コアネットワークに接続される隣接セルのリスト、又は第２コアネットワークのみに接続される隣接セルのリストと、第１コアネットワーク及び第２コアネットワークの両方に接続される隣接セルのリストとのうち、品質がセルの等価性品質区間内にある隣接セルのセル特性と、現在のサービングセルとを、セル特性に基づいて通信ノードの能力とマッチングしてセル傾向性再選択を行い、
又は、前記第２コアネットワークをサポートしている場合、すべての隣接セルリストのうち、品質がセルの等価性品質区間内にある隣接セルのセル特性と、現在のサービングセルとを、セル特性に基づいて通信ノードの能力とマッチングしてセル傾向性再選択を行う、ように構成される。
【０１２３】
本出願の別の実施例は、プロセッサと、コンピュータ可読記憶媒体とを備え、コンピュータ可読記憶媒体に、プロセッサによって実行されると、上記のいずれかのセル処理方法を実現する指令が記憶されている、通信ノードを提案する。
【０１２４】
本出願の別の実施例は、プロセッサによって実行されると、上記のいずれかのセル処理方法のステップを実現するコンピュータプログラムが記憶されている、コンピュータ可読記憶媒体を提案する。
【０１２５】
そのうち、コンピュータ可読記憶媒体は、フラッシュメモリ、ハードディスク、マルチメディアカード、カード型メモリ（例えば、ＳＤカード（Ｓｅｃｕｒｅ  Ｄｉｇｉｔａｌ  Ｍｅｍｏｒｙ  Ｃａｒｄ）又はデータレジスタ（Ｄａｔａ  Ｒｅｇｉｓｔｅｒ、ＤＸ）メモリなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、読み取り専用メモリ（Ｒｅａｄ  Ｏｎｌｙ  Ｍｅｍｏｒｙ、ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリ、磁気ディスク、光ディスクなどの少なくとも１つを備える。
【０１２６】
プロセッサは、ＣＰＵ（Ｃｅｎｔｒａｌ  Ｐｒｏｃｅｓｓｉｎｇ  Ｕｎｉｔ）、コントローラ、マイクロコントローラ、マイクロプロセッサ、又は他のデータ処理チップなどであってもよい。
【０１２７】
図８を参照すると、本出願の別の実施例は、第１通信ノード８０１と、第２通信ノード８０２と、を備えるセル処理システムを提案する。
【０１２８】
第１通信ノード８０１は、隣接セルリストを送信するように構成される。そのうち、前記隣接セルリストは、第１コアネットワークに接続される隣接セルのリストと、第２コアネットワークのみに接続される少なくとも１つの隣接セルのリストとを含み、又は、前記隣接セルリストは、第１コアネットワークのみに接続される隣接セルのリストと、第１コアネットワーク及び第２コアネットワークの両方に接続される隣接セルのリストと、第２コアネットワークのみに接続される少なくとも１つの隣接セルのリストとを含む。
【０１２９】
第２通信ノード８０２は、隣接セルリストを受信するように構成される。そのうち、前記隣接セルリストは、
第１コアネットワークに接続される隣接セルのリストと、第２コアネットワークのみに接続される少なくとも１つの隣接セルのリストと、を含み、
又は、第１コアネットワークのみに接続される隣接セルのリストと、第１コアネットワーク及び第２コアネットワークの両方に接続される隣接セルのリストと、第２コアネットワークのみに接続される少なくとも１つの隣接セルのリストと、を含み、
第２通信ノード８０２は、第２コアネットワークをサポートしていない場合、第１コアネットワークに接続される隣接セルのリストにおける隣接セルに対して処理を行い、又は、第１コアネットワークのみに接続される隣接セルのリストと、第１コアネットワーク及び第２コアネットワークの両方に接続される隣接セルのリストにおける隣接セルに対して処理を行い、
又は、前記第２コアネットワークをサポートしている場合、すべての隣接セルリストにおける隣接セルに対して処理を行う。
【０１３０】
一実施例では、第２通信ノードは、さらに、
セル品質等価性閾値に応じてセル等価性品質区間を決定し、
第２コアネットワークをサポートしていない場合、第１コアネットワークに接続される隣接セルのリスト、又は第１コアネットワークのみに接続される隣接セルのリストと、第１コアネットワーク及び第２コアネットワークの両方に接続される隣接セルのリストとのうち、品質がセルの等価性品質区間内にある隣接セルと、現在のサービングセルとを、セル特性に基づいて前記通信ノードの能力とマッチングしてセル傾向性再選択を行い、
又は、前記第２コアネットワークをサポートしている場合、すべての隣接セルリストのうち、品質がセルの等価性品質区間内にある隣接セルと、現在のサービングセルとを、セル特性に基づいて前記通信ノードの能力とマッチングしてセル傾向性再選択を行う、ように構成される。
【０１３１】
現在、図９に示すように、セル再選択のＲルールは、ネットワーク側（図９の基地局９１）がＵＥ９２にＲルールを配置するヒステリシス閾値Ｑｈｙｓｔ（ｈｙｓｔｅｒｅｓｉｓ  ｖａｌｕｅ  ｆｏｒ  ｒａｎｋｉｎｇ  ｃｒｉｔｅｒｉａ）であり、ＵＥは、ヒステリシス閾値に基づいてセル再選択を行い、つまり、
【数１】
2021513793.tif 000003
に従ってサービングセルの品質を算出し、
【数２】
2021513793.tif 000004
に従って隣接セルの品質を算出し、隣接セルの品質がサービングセルの品質よりも高い場合、ＵＥは、セル再選択を行う。
【０１３２】
そのうち、Ｒｓは、サービングセルの品質であり、Ｒｎは、隣接セルの品質であり、Ｑｍｅａｓ，ｓは、サービングセルの測定値であり、Ｑｍｅａｓ，ｎは、隣接セルの測定値であり、Ｑｏｆｆｓｅｔ１は、セル再選択プロセスが判定するときのセル再選択オフセット又は周波数オフセットであり、Ｑｏｆｆｓｅｔ２は、ＵＥアクセスセルが失敗するときのセルの処罰的再選択オフセットであり、Ｑｏｆｆｓｅｔ３は、受信するＳＣ−ＰＴＭ（Ｓｉｎｇｌｅ  Ｃｅｌｌ  Ｐｏｉｎｔ  ｔｏ  Ｍｕｌｔｉ−ｐｌｏｉｎｔ）トラフィックを運ぶキャリアの再選択オフセットである。
【０１３３】
通常、Ｑｏｆｆｓｅｔ１と、Ｑｏｆｆｓｅｔ２と、Ｑｏｆｆｓｅｔ３とは、０を取ることができるので、    
【数３】
2021513793.tif 000005
に従ってサービングセルの品質を算出することができ、
【数４】
2021513793.tif 000006
に従って隣接セルの品質を算出することができる。つまり、隣接セルの測定値が、サービングセルの測定値と、ヒステリシス閾値との和よりも大きい場合、隣接セルの品質がサービングセルの品質より高いことを示している。
【０１３４】
上記のセル再選択の方法では、大量に集中しているＵＥ（例えば列車におけるＵＥ）が同時に移動するとき、すべてのＵＥのヒステリシス閾値が一致し、セル再選択のトリガ条件も同じであるため、大量のＵＥが同時に移動的な指令を出してセル再選択を行うことになり、瞬時的なシグナリングストーム（ｓｉｇｎａｌｉｎｇ  ｓｔｏｒｍ）を引き起こす。
【０１３５】
図１０を参照すると、本出願の別の実施例は、ステップ１０００と、ステップ１００１と、ステップ１００２と、を含むセル再選択方法を提案する。
【０１３６】
ステップ１０００では、通信ノードは、ランダム化ヒステリシス閾値を受信する。
【０１３７】
一実施例では、通信ノードは、元ヒステリシス閾値を受信してもよい。
【０１３８】
つまり、元ヒステリシス閾値と、ランダム化ヒステリシス閾値とは、別々に配置されてもよいし、一緒に配置されてもよい。
【０１３９】
上記の本出願の実施例において、通信ノードは、ランダム化ヒステリシス閾値を含むブロードキャストメッセージを受信する。一実施例では、ブロードキャストメッセージは、元ヒステリシス閾値をさらに含む。
【０１４０】
ステップ１００１では、通信ノードは、ランダム化ヒステリシス閾値に応じて乱数を生成する。
【０１４１】
上記の本出願の実施例において、通信ノードは、以下のいずれかの式に従って前記乱数を生成し、
【数５】
2021513793.tif 000007
そのうち、Ｑｈｙｓｔ＿ｏｆｆｓｅｔは、前記乱数であり、Ｑｈｙｓｔ＿Ｒは、前記ランダム化ヒステリシス閾値であり、ｂはａよりも大きい。
【０１４２】
そのうち、ｒａｎｄ（ａ，ｂ）は、ａからｂまでの乱数である。
【０１４３】
上記のように、ａ及びｂは、ｂがａよりも大きいことを満たす限り、任意の値を取ることができる。例えば、
ａは０であり、ｂは１であると、
【数６】
2021513793.tif 000008
又は
【数７】
2021513793.tif 000009
に従って乱数を算出し、
又は、ａは−１であり、ｂは０であると、
【数８】
2021513793.tif 000010
又は
【数９】
2021513793.tif 000011
に従って乱数を算出し、
又は、ａは−１であり、ｂは１であると、
【数１０】
2021513793.tif 000012
又は
【数１１】
2021513793.tif 000013
に従って乱数を算出する。
【０１４４】
つまり、乱数は、正数、負数、整数、小数などのいずれでもよい。
【０１４５】
ステップ１００２では、通信ノードは、乱数に応じてセル再選択を行う。
【０１４６】
上記の本出願の実施例では、まず、通信ノードは、元ヒステリシス閾値及び乱数にお、新たなヒステリシス閾値を算出する。具体的には、様々な方式で新たなヒステリシス閾値を算出することができ、例えば、新たなヒステリシス閾値は、元ヒステリシス閾値と乱数との和である。具体的な算出方式は、本出願の実施例の保護範囲を限定するものではないので、ここではその説明を省略する。
【０１４７】
次に、通信ノードは、新たなヒステリシス閾値に応じてセル再選択を行う。
【０１４８】
一実施例では、
【数１２】
2021513793.tif 000014
に従ってサービングセルの品質を算出し、
【数１３】
2021513793.tif 000015
に従って隣接セルの品質を算出し、隣接セルの品質がサービングセルの品質よりも高い場合、ＵＥは、セル再選択を行う。
【０１４９】
そのうち、Ｒｓは、サービングセルの品質であり、Ｒｎは、隣接セルの品質、Ｑｍｅａｓ，ｓは、サービングセルの測定値であり、Ｑｍｅａｓ，ｎは、隣接セルの測定値であり、Ｑｈｙｓｔｎは、新たなヒステリシス閾値であり、Ｑｏｆｆｓｅｔ１は、セル再選択プロセスが判定するときのセル再選択オフセット又は周波数オフセットであり、Ｑｏｆｆｓｅｔ２は、ＵＥアクセスセルが失敗するときのセルの処罰的再選択オフセットであり、Ｑｏｆｆｓｅｔ３は、受信するＳＣ−ＰＴＭトラフィックを運ぶキャリアの再選択オフセットである。
【０１５０】
通常、Ｑｏｆｆｓｅｔ１と、Ｑｏｆｆｓｅｔ２と、Ｑｏｆｆｓｅｔ３とは、０を取ることができるので、
【数１４】
2021513793.tif 000016
に従ってサービングセルの品質を算出することができ、
【数１５】
2021513793.tif 000017
に従って隣接セルの品質を算出することができる。つまり、隣接セルの測定値が、サービングセルの測定値と、ヒステリシス閾値との和よりも大きい場合、隣接セルの品質がサービングセルの品質より高いことを示している。
【０１５１】
上記のセル再選択の方法では、乱数に応じてセル再選択を行い、乱数はランダム性があるため、異なる通信ノードの具体的な値も当然異なり、大量に集中しているＵＥ（例えば列車におけるＵＥ）が同時に移動するとき、すべてのＵＥのステリシス閾値が異なり、セル再選択のトリガ条件も異なるため、同時に移動的な指令を出してセル再選択を行う通信ノードの数を減らし、瞬時的なシグナリングストームを減少させる。
【０１５２】
図１１を参照すると、本出願の別の実施例は、ステップ１１００を含むセル再選択方法を提案する。
【０１５３】
ステップ１１００では、通信ノードは、ランダム化ヒステリシス閾値を送信する。
【０１５４】
一実施例では、通信ノードは、さらに、元ヒステリシス閾値を送信する。
【０１５５】
上記の本出願の実施例において、通信ノードは、ブロードキャストメッセージを送信するようにランダム化ヒステリシス閾値を送信し、つまり、ブロードキャストメッセージにランダム化ヒステリシス閾値が含まれている。
【０１５６】
一実施例では、ブロードキャストメッセージは、元ヒステリシス閾値をさらに含む。
【０１５７】
上記の通信ノードは、任意の通信ノードであってもよく、例えば、図１０の通信ノードは、ＵＥであり、図１１の通信ノードは、基地局である。
【０１５８】
例えば、図１２に示すように、基地局９１は、元ヒステリシス閾値とランダム化ヒステリシス閾値とをＵＥ９２に送信し、ＵＥ９２は、ランダム化ヒステリシス閾値に応じて乱数を生成し、元ヒステリシス閾値及びランダム化ヒステリシス閾値に応じて新たなヒステリシス閾値を算出し、新たなヒステリシス閾値に応じてセル再選択を行う。
【０１５９】
図１３を参照すると、本出願の別の実施例は、受信モジュール１３０１と、生成モジュール１３０２と、再選択モジュール１３０３とを備える通信ノードを提案する。
【０１６０】
受信モジュール１３０１は、ランダム化ヒステリシス閾値を受信するように構成される。
【０１６１】
生成モジュール１３０２は、ランダム化ヒステリシス閾値に応じて乱数を生成するように構成される。
【０１６２】
再選択モジュール１３０３は、乱数に応じてセル再選択を行うように構成される。
【０１６３】
一実施例では、生成モジュール１３０２は、
以下のいずれかの式に従って前記乱数を生成するように構成され、
【数１６】
2021513793.tif 000018
そのうち、Ｑｈｙｓｔ＿ｏｆｆｓｅｔは、前記乱数であり、Ｑｈｙｓｔ＿Ｒは、前記ランダム化ヒステリシス閾値であり、ｂはａよりも大きい。
【０１６４】
一実施例では、前記ａは０であり、前記ｂは１であり、
又は、前記ａは−１であり、前記ｂは０であり、
又は、前記ａは−１であり、前記ｂは１である。
【０１６５】
一実施例では、再選択モジュール１３０３は、元ヒステリシス閾値及び前記乱数に応じて新たなヒステリシス閾値を算出し、前記新たなヒステリシス閾値に応じてセル再選択を行う、ように構成される。
【０１６６】
一実施例では、受信モジュール１３０１は、前記ランダム化ヒステリシス閾値を含むブロードキャストメッセージを受信するように構成される。
【０１６７】
一実施例では、ブロードキャストメッセージは、元ヒステリシス閾値をさらに含む。
【０１６８】
一実施例では、受信モジュール１３０１は、さらに、元ヒステリシス閾値を受信するように構成される。
【０１６９】
図１４を参照すると、本出願の実施例は、送信モジュール１４０１を備える通信ノードを提案する。
【０１７０】
送信モジュール１４０１は、ランダム化ヒステリシス閾値を送信するように構成される。
【０１７１】
一実施例では、送信モジュール１４０１は、さらに、元ヒステリシス閾値を送信するように構成される。
【０１７２】
一実施例では、送信モジュール１４０１は、前記ランダム化ヒステリシス閾値を含むブロードキャストメッセージを送信するように構成される。
【０１７３】
一実施例では、ブロードキャストメッセージは、元ヒステリシス閾値をさらに含む。
【０１７４】
本出願の別の実施例は、プロセッサと、コンピュータ可読記憶媒体と、を備え、コンピュータ可読記憶媒体に、プロセッサによって実行されると、上記のいずれかのセル再選択方法を実現する指令が記憶されている、通信ノードを提案する。
【０１７５】
本出願の別の実施例は、プロセッサによって実行されると、上記のいずれかのセル再選択方法のステップを実現するコンピュータプログラムが記憶されている、コンピュータ可読記憶媒体を提案する。
【０１７６】
図１５を参照すると、本出願の別の実施例は、第１通信ノード１５０１と、第２通信ノード１５０２とを備えるセル再選択システムを提案する。
【０１７７】
第１通信ノード１５０１は、ランダム化ヒステリシス閾値を第２通信ノード１５０２に送信するように構成され、
第２通信ノード１５０２は、ランダム化ヒステリシス閾値を受信し、ランダム化ヒステリシス閾値に応じて乱数を生成し、乱数に応じてセル再選択を行うように構成される。
【０１７８】
一実施例では、第１通信ノード１５０１は、さらに、元ヒステリシス閾値を第２通信ノード１５０２に送信するように構成され、
前記第２通信ノード１５０２は、ランダム化ヒステリシス閾値及び元ヒステリシス閾値を受信し、ランダム化ヒステリシス閾値に応じて乱数を生成し、元ヒステリシス閾値及び乱数に応じて新たなヒステリシス閾値を算出し、新たなヒステリシス閾値に応じてセル再選択を行うように構成される。
【０１７９】
現在のセル選択ポリシーは、セル無線品質又はセル再選択優先度でソートがかけられており、無線品質が最も良いセル又はセル再選択優先度が最も高いセルを優先的に選択し、セルの特性や負荷を考慮していない。選択されたセルは、前記ユーザに最適なサービス品質を提供することができるセルではない可能性がある。
【０１８０】
図１６を参照すると、本出願の別の実施例は、ステップ１６００と、ステップ１６０１とを含むセル再選択方法を提案する。
【０１８１】
ステップ１６００では、通信ノードは、セル品質等価性閾値に応じてセル等価性品質区間を決定する。
【０１８２】
上記の本出願の実施例において、セル品質等価性閾値は、セル再選択のヒステリシス閾値（例えば、上記の元ヒステリシス閾値、又は新たなヒステリシス閾値など）を採用することができる。
【０１８３】
上記の本出願の実施例において、セル等価性品質区間は、
【数１７】
2021513793.tif 000019
のいずれかであってもよい。
そのうち、Ｑｓｖｒは、現在のサービングセルの品質であり、ＱｅＴと、ＱｅＴ１と、ＱｅＴ２とは、セル品質等価性閾値である。
【０１８４】
つまり、セル品質等価性閾値は１つ、即ち、ＱｅＴであってもよいし、異なる２つの値、即ち、ＱｅＴ１、ＱｅＴ２であってもよい。
【０１８５】
上記の本出願の実施例において、隣接セルの品質がセル等価性品質区間内にある場合、隣接セルの品質は現在のサービングセルの品質に相当すると考えられる。隣接セルの品質は現在のサービングセルの品質に相当するが、隣接セルのサービス品質は、現在のサービングセルのサービス品質よりも良い可能性があるため、セル傾向性再選択によってサービス品質を向上させる必要がある。
【０１８６】
ステップ１６０１では、通信ノードは、品質がセルの等価性品質区間内にある隣接セルと、現在のサービングセルからなる集合を、候補セルとしてセル傾向性再選択を行う。
【０１８７】
上記の本出願の実施例において、通信ノードは、以下のいずれかの方法でセル傾向性再選択を行うことができる。
【０１８８】
第１の方法では、通信ノードは、品質がセルの等価性品質区間内にある隣接セルと、現在のサービングセルからなる集合から、１つの隣接セルをサービングセルとしてランダムに選択する。
【０１８９】
第２の方法では、通信ノードは、セル再選択の傾向性指示を受信し、セル再選択の傾向性指示に応じてセル傾向性再選択を行う。
【０１９０】
そのうち、セル再選択の傾向性指示は、ブロードキャストメッセージに運ばれることができる。
【０１９１】
そのうち、セル再選択の傾向性指示は、セル再選択の選択傾向と、セル特徴との少なくとも一方を含む。
【０１９２】
そのうち、セル特徴は、セルが第２コアネットワークに接続されることと、セルが第２コアネットワークに接続されることと、セルに接続される第２コアネットワークのユーザプレーン最適化案に対するサポート情報と、セルに接続される第２コアネットワークの通信ノードの省エネ状態に対するサポート情報と、セル選択の重みとの少なくとも一方を含む。
【０１９３】
ところで、以下のいずれかの方法を採用してセル再選択の傾向性指示に応じてセル傾向性再選択を行うことができる。
【０１９４】
第１の方法では、通信ノードは、品質がセルの等価性品質区間内にある隣接セルから、セル再選択の選択傾向に対応する隣接セルのうちの１つをサービングセルとして選択する。
【０１９５】
例えば、セル再選択の選択傾向は、第２コアネットワークをサポートする第５通信ノードが、第２コアネットワークに接続されるセルを優先的に選択することである。一実施例では、ブロードキャストメッセージを介して、第２コアネットワークをサポートする通信ノードが第２コアネットワークに接続されるセルを優先的に選択するように、指示することができる。
【０１９６】
そして、通信ノードは、第２コアネットワークに接続される隣接セルをサービングセルとして直接選択する。第２コアネットワークに接続される隣接セルが複数であれば、第２コアネットワークに接続される隣接セルから任意に１つを選択することができる。
【０１９７】
第２の方法では、通信ノードが第２コアネットワークをサポートしている場合、通信ノードは、前記品質がセルの等価性品質区間内にある隣接セルから、セル特性が第２コアネットワークに接続されるセルのうちの１つをサービングセルとして選択する。
【０１９８】
例えば、セル特性とは、セルが第２コアネットワークに接続されるかどうかである、一実施例では、ブロードキャストメッセージを介してセル特徴を指示することができ、そして、第２コアネットワークをサポートする第５通信ノードは、自ら設定されたルールで第２コアネットワークに接続されるセルを優先的に選択する。
【０１９９】
第２コアネットワークに接続される隣接セルが複数であれば、第２コアネットワークに接続される隣接セルから任意に１つを選択することができる。
【０２００】
第３の方法では、通信ノードは、前記セル選択の重みに応じて、前記品質がセルの等価性品質区間内にある隣接セルから、１つの隣接セルをサービングセルとして選択する。
【０２０１】
この方法では、まず、通信ノードは、予め設定された順番で、前記品質がセルの等価性品質区間内にある隣接セル及び現在のサービングセルに番号を付ける。
【０２０２】
次に、以下のいずれかの方法を採用して１つの隣接セルをサービングセルとして選択する。
【０２０３】
一、通信ノードは、
【数１８】
2021513793.tif 000020
を満たす、番号が最も小さいセルを前記サービングセルとして選択する。
そのうち、ｗ（ｊ）は、番号がｊである隣接セルの重み（例えば、０〜１００の値をとり、大きい値を取るほど、そのセルが選択される可能性が高いことを示す）であり、ｎは、品質がセルの等価性品質区間内にある隣接セルの数であり、ｉは、セルの番号を示している。
【０２０４】
二、
【数１９】
2021513793.tif 000021
の場合、前記第５通信ノードは、番号が０である隣接セルを前記サービングセルとして選択し、
【数２０】
2021513793.tif 000022
の場合、前記第５通信ノードは、番号がｉである隣接セルを前記サービングセルとして選択し、
そのうち、
【数２１】
2021513793.tif 000023
そのうち、Ｕは、ユーザデバイス指標であり、Ｐ（０）は、番号が０である隣接セルを選択する確率であり、Ｐ（ｊ）は、番号がｊである隣接セルを選択する確率であり、Ｉは、第５通信ノードの指標であり、ｗ（ｊ）は、番号がｊである隣接セルの重みであり、ｗ（ｋ）は、番号がｋである隣接セルの重みであり、ｎは、品質がセルの等価性品質区間内にある隣接セルの数であり、ｉは、セルの番号を示し、Ａ及びＢは、１以上の整数であり、例えば、Ａは、２００を取り、Ｂは、１００を取る。
【０２０５】
そのうち、Ｕは、ＩＭＳＩに基づいて算出されたＵＥＩＤ指標である。
【０２０６】
仮に、ＵＥがあるセルを選択する確率は、
【数２２】
2021513793.tif 000024
である。
【０２０７】
そのうち、Ｌｏａｄ（ｉ）は、ｉ番目のセルの負荷である。
【数２３】
2021513793.tif 000025
であると、ＵＥは、番号が０であるセルを選択する。
【数２４】
2021513793.tif 000026
であると、ＵＥは、番号がｉであるセルを選択する。
【０２０８】
そのうち、
【数２５】
2021513793.tif 000027
【０２０９】
本実施例に係る方法は、セルの負荷及びＵＥＩＤに基づいて、ＵＥによって選択されたキャンプセルを決定することができる。
【０２１０】
そのうち、通信ノードの指標は、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ）、Ｓ−ＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）など、の少なくとも一方であってもよい。
【０２１１】
図１７を参照すると、本出願の別の実施例は、ステップ１７００を含むセル再選択方法を提案する。
【０２１２】
ステップ１７００では、通信ノードは、セル品質等価性閾値及びセル再選択の傾向性指示の少なくとも一方を送信する。
【０２１３】
一実施例では、通信ノードは、ブロードキャストメッセージを介して、セル品質等価性閾値及びセル再選択の傾向性指示の少なくとも一方を指示することができ、つまり、ブロードキャストメッセージには、セル品質等価性閾値及びセル再選択の傾向性指示の少なくとも一方が運ばれている。
【０２１４】
セル品質等価性閾値として、セル再選択のヒステリシス閾値（例えば、上記の元ヒステリシス閾値、又は新たなヒステリシス閾値など）を採用してもよい。
【０２１５】
例えば、図１８に示すように、基地局１８１は、セル品質等価性閾値及びセル再選択の傾向性指示をＵＥ１８２に送信し、ＵＥ１８２は、セル品質等価性閾値に応じてセル等価性品質区間を決定し、品質がセルの等価性品質区間内にある隣接セルと現在のサービングセルからなる集合を候補セルとして、セル再選択の傾向性指示に応じてセル傾向性再選択を行う。
【０２１６】
図１９を参照すると、本出願の別の実施例は、決定モジュール１９０１と、再選択モジュール１９０２とを備える通信ノードを提案する。
【０２１７】
決定モジュール１９０１は、セル品質等価性閾値に応じてセル等価性品質区間を決定するように構成される。
【０２１８】
再選択モジュール１９０２は、品質がセルの等価性品質区間内にある隣接セルと現在のサービングセルからなる集合を候補セルとして、セル傾向性再選択を行うように構成される。
【０２１９】
一実施例では、前記セル品質等価性閾値を受信するように構成される受信モジュール１９０３をさらに備える。
【０２２０】
一実施例では、再選択モジュール１９０２は、前記品質がセルの等価性品質区間内にある隣接セルと現在のサービングセルからなる集合から、１つの隣接セルをサービングセルとしてランダムに選択するように構成される。
【０２２１】
一実施例では、セル再選択の傾向性指示を受信するように構成される受信モジュール１９０３と、前記セル再選択の傾向性指示に応じてセル傾向性再選択を行うように構成される再選択モジュール１９０２と、をさらに備える。
【０２２２】
一実施例では、セル再選択の傾向性指示は、セル再選択的選択傾向及びセル特徴の少なくとも一方を含む。
【０２２３】
セル特性は、セルが第２コアネットワークに接続されることと、セルが第１コアネットワークに接続されることと、セルに接続される第２コアネットワークのユーザプレーン最適化案に対するサポート情報と、セルに接続される第２コアネットワークの第２通信ノードの省エネ状態に対するサポート情報と、セル選択の重みとの少なくとも一方を含む。
【０２２４】
一実施例では、再選択モジュール１９０２は、
前記品質がセルの等価性品質区間内にある隣接セルと現在のサービングセルからなる集合から、前記セル再選択の選択傾向に対応するセルのうちの１つを、サービングセルとして選択する方法、
第２コアネットワークをサポートしている場合、前記品質がセルの等価性品質区間内にある隣接セルと現在のサービングセルからなる集合から、セル特徴が第２コアネットワークに接続されるセルのうちの１つを、サービングセルとして選択する方法、
前記セル選択の重みに応じて、前記品質がセルの等価性品質区間内にある隣接セルと現在のサービングセルからなる集合から、１つの隣接セルをサービングセルとして選択する方法、
のいずれかの方法を用いてセル傾向性再選択を行うように構成される。
【０２２５】
一実施例では、再選択モジュール１９０２は、
予め設定された順番で、前記品質がセルの等価性品質区間内にある隣接セルと現在のサービングセルに番号を付け、
【数２６】
2021513793.tif 000028
を満たす、番号が最も小さいセルを前記サービングセルとして選択し、
そのうち、ｗ（ｊ）は、番号がｊである隣接セルの重みであり、ｎは、品質がセルの等価性品質区間内にある隣接セルの数であり、ｉは、セルの番号を示している、ように構成される。
【０２２６】
一実施例では、再選択モジュール１９０２は、
予め設定された順番で、前記品質がセルの等価性品質区間内にある隣接セルと現在のサービングセルに番号を付け、
【数２７】
2021513793.tif 000029
の場合、番号が０である隣接セルを前記サービングセルとして選択し、又は、
【数２８】
2021513793.tif 000030
の場合、番号がｉである隣接セルを前記サービングセルとして選択し、
そのうち、
【数２９】
2021513793.tif 000031
そのうち、Ｐ（０）は、番号が０である隣接セルを選択する確率であり、Ｐ（ｊ）は、番号がｊである隣接セルを選択する確率であり、Ｉは、通信ノードの指標であり、ｗ（ｊ）は、番号がｊである隣接セルの重みであり、ｗ（ｋ）は、番号がｋである隣接セルの重みであり、ｎは、品質がセルの等価性品質区間内にある隣接セルの数であり、ｉはセル番号を示し、Ａ及びＢは、１以上の整数である、ように構成される。
【０２２７】
図２０を参照すると、本出願の別の実施例は、送信モジュール２００１を備える通信ノードを提案する。
【０２２８】
送信モジュール２００１は、セル品質等価性閾値及びセル再選択の傾向性指示の少なくとも一方を送信するように構成される。
【０２２９】
本出願の別の実施例は、プロセッサと、コンピュータ可読記憶媒体と、を備え、コンピュータ可読記憶媒体に、プロセッサによって実行されると、上記のいずれかのセル再選択方法を実現する指令が記憶されている、通信ノードを提案する。
【０２３０】
本出願の実施例は、プロセッサによって実行されると、上記のいずれかのセル再選択方法を実現するコンピュータプログラムが記憶されている、コンピュータ可読記憶媒体を提案する。
【０２３１】
図２１を参照すると、本出願の別の実施例は、第１通信ノード２１０１と、第２通信ノード２１０２と、を備えるセル再選択システムを提案する。
【０２３２】
第１通信ノード２１０１は、セル品質等価性閾値を送信するように構成される。
【０２３３】
第２通信ノード２１０２は、セル品質等価性閾値に応じてセル等価性品質区間を決定し、品質がセルの等価性品質区間内にある隣接セルと現在のサービングセルからなる集合を、候補セルとしてセル傾向性再選択を行うように構成される。
【０２３４】
一実施例では、第１通信ノード２１０１は、さらに、セル再選択の傾向性指示を送信するように構成され、
第２通信ノード２１０２は、セル品質等価性閾値に応じてセル等価性品質区間を決定し、品質がセルの等価性品質区間内にある隣接セルと現在のサービングセルからなる集合を、候補セルとして、セル再選択の傾向性指示に応じて、セル傾向性再選択を行うように構成される。
【０２３５】
関連技術では、ＵＥが無線リソース制御（Ｒａｄｉｏ  Ｒｅｓｏｕｒｃｅ  Ｃｏｎｔｒｏｌ、ＲＲＣ）アイドル（ＩＤＬＥ）モードコンテキスト・サスペンド状態に入った後、
ＵＥは、ｅＤＲＸ周期（ｅＤＲＸ  ｃｙｃｌｅ）のページング時間ウィンドウ（Ｐａｇｉｎｇ  Ｔｉｍｅ  Ｗｉｎｄｏｗ、ＰＴＷ）長さ内で、ＲＲＣ  ＩＤＬＥモードコンテキスト・サスペンド状態にあり、且つ、ＵＥがｅＤＲＸ周期のＰＴＷ長さ内でデータの送受信がないと、ｅＤＲＸ周期の非ＰＴＷ長さ内でｅＤＲＸ状態に入り、ＵＥがｅＤＲＸ周期のＰＴＷ長さ内でデータの送受信があると、接続状態に入る。
【０２３６】
又は、ＵＥは、ＰＳＭ活性化タイマ（ＰＳＭ  Ａｃｔｉｖｅ  Ｔｉｍｅｒ、又はＴ３３２４）内で、ＲＲＣ  ＩＤＬＥモードコンテキスト・サスペンド状態にあり、且つ、ＵＥがＰＳＭ活性化タイマ内でデータの送受信がないと、ＰＳＭ時間長内でＰＳＭ状態に入り、ＰＳＭ時間長でＰＳＭ状態を終了する（つまり、ＰＳＭ活性化タイマに再び入り、ＰＳＭ活性化タイマ内でＲＲＣ  ＩＤＬＥモードコンテキスト・サスペンド状態にある）。
【０２３７】
関連技術では、ＵＥがｅＤＲＸ又はＰＳＭ状態にあるとき、ＵＥに対応する基地局とコアネットワークとの接続を切断する必要があり、ＵＥに対応する基地局とコアネットワークとの接続が維持されているとき、ＵＥは、ｅＤＲＸ又はＰＳＭ状態に入ることができなくなり、つまり、ＵＥに対応する基地局とコアネットワークとの接続が維持されているとき、ＵＥは省エネできず、ＵＥがｅＤＲＸ又はＰＳＭ状態にはいると、コアネットワークがＵＥに下りデータを送信できなくなる。
【０２３８】
図２２を参照すると、本出願の別の実施例は、ステップ２２００を含む省エネ状態変換方法を提案する。
【０２３９】
ステップ２２００では、基地局は、ＲＲＣ接続を解放する第１指示情報を端末に送信し、省エネ状態に入る第２指示情報をコアネットワーク要素に送信する。
【０２４０】
上記の本出願の実施例において、端末が第１指示情報を受信した後、ＲＲＣ  ＩＤＬＥモードコンテキスト・サスペンド状態に入る。端末がＲＲＣ  ＩＤＬＥモードコンテキスト・サスペンド状態に入った後、
端末は、ｅＤＲＸ周期のＰＴＷ窓内でＲＲＣ  ＩＤＬＥモードコンテキスト・サスペンド状態にあり（Ｐａｇｉｎｇメッセージ及び下りスケジューリング情報の少なくとも一方をモニタする）、且つ、端末がｅＤＲＸ周期のＰＴＷ長さ内でデータの送受信がないと、ｅＤＲＸ周期の非ＰＴＷ窓内でｅＤＲＸ状態に入り、端末がｅＤＲＸ周期のＰＴＷ窓内で、Ｐａｇｉｎｇメッセージ及び下りスケジューリング情報の少なくとも一方をモニタすると、後続の上り／下り送受信状態に入り、
又は、端末は、ＰＳＭ活性化タイマ内でＲＲＣ  ＩＤＬＥモードコンテキスト・サスペンド状態にあり、且つ、端末がＰＳＭ活性化タイマ（ＰＳＭ  Ａｃｔｉｖｅ  Ｔｉｍｅｒ、又はＴ３３２４）内でデータの送受信がないと、ＰＳＭ時間長内でＰＳＭ状態に入り、ＰＳＭ時間長でＰＳＭ状態を終了し（つまり、ＰＳＭ活性化タイマに再び入り、ＰＳＭ活性化タイマ内でＲＲＣ  ＩＤＬＥモードコンテキスト・サスペンド状態にある）、
又は、端末は、ＤＳＭ活性化タイマ内でＲＲＣ  ＩＤＬＥモードコンテキスト・サスペンド状態にあり、且つ、端末がＤＳＭ活性化タイマ（ＤＳＭ  Ａｃｔｉｖｅ  Ｔｉｍｅｒ、又はＴ３３２４）内でデータの送受信がないと、ＤＳＭ時間長内でＤＳＭ状態に入り、ＤＳＭ時間長でＤＳＭ状態を終了する（つまり、ＤＳＭ活性化タイマに再び入り、ＤＳＭ活性化タイマ内でＲＲＣ  ＩＤＬＥモードコンテキスト・サスペンド状態にある）。
【０２４１】
上記の本出願の別の実施例において、コアネットワーク要素は、第２指示情報を受信した後、端末に対応する基地局とコアネットワーク要素との接続を維持し、且つ、端末に対応する基地局とコアネットワーク要素との接続は、省エネ状態に入り、
端末に対応する基地局とコアネットワーク要素との接続が省エネ状態にあるとき、基地局は、上りデータ及び上りシグナリングの少なくとも一方を任意のタイミングでコアネットワーク要素に送信可能であり、
コアネットワーク要素は、ページング時間ウィンドウ及び予め定義されたデータ送信ウィンドウの少なくとも一方の内だけで、下りデータ及び下りシグナリングの少なくとも一方を基地局に送信することができる。
【０２４２】
一実施例では、この方法は、基地局がＲＲＣ接続を解放する第１指示情報を端末に送信する前に、基地局が接続するコアネットワーク要素が端末の省エネ状態をサポートする第３指示情報を受信すること、をさらに含む。
【０２４３】
一実施例では、この方法は、基地局が下りデータ及び下りシグナリングの少なくとも一方を受信すること、をさらに含み、前記下りデータは、ページング時間ウィンドウ及び予め定義されたデータ送信ウィンドウの関連パラメータ（例えばＮＡＳ層のｅＤＲＸパラメータ）の少なくとも一方を含み、前記下りシグナリングは、ページング時間ウィンドウ及び予め定義されたデータ送信ウィンドウの関連パラメータ（例えばＮＡＳ層のｅＤＲＸパラメータ）の少なくとも一方を含む。
【０２４４】
ページング・メッセージが端末に送信され、端末に対応する基地局とコアネットワーク要素との接続は、接続状態に入る。
【０２４５】
そのうち、端末がＲＲＣ  ＩＤＬＥモードコンテキスト・サスペンド状態に入った後、コアネットワーク要素は、ＰＴＷ及び予め定義されたデータ送信ウィンドウの少なくとも一方の内だけで、下りデータ及び下りシグナリングの少なくとも一方を基地局に送信することができるため、基地局は、ＰＴＷ及びデータ送信ウィンドウの少なくとも一方の内だけで、下りデータ及び下りシグナリングの少なくとも一方を受信することができる
【０２４６】
つまり、端末がＲＲＣ  ＩＤＬＥモードコンテキスト・サスペンド状態にある場合にのみ、コアネットワーク要素は、下りデータ及び下りシグナリングの少なくとも一方を基地局に送信することができる。しかし、端末がｅＤＲＸ状態、ＰＳＭ状態又はＤＳＭ状態にある場合、コアネットワーク要素は、下りデータ及び下りシグナリングの少なくとも一方を基地局に送信することができず、端末は、後にＰＴＷ及び予め定義されたデータ送信ウィンドウの少なくとも一方の内で、ページング・メッセージをモニタする。
【０２４７】
そのうち、端末がページング・メッセージを受信した後、端末は、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）プロセスを開始して、ＲＲＣ接続状態又は早期データ伝送（Ｅａｒｌｙ  Ｄａｔａ  Ｔｒａｎｓｍｉｓｓｉｏｎ、ＥＤＴ）状態に入る。
【０２４８】
端末がＲＲＣ接続状態又はＥＤＴ状態に入った後、基地局は、受信した下りデータ及び下りシグナリングの少なくとも一方を端末に送信することができる。
【０２４９】
そのうち、端末に対応する基地局とコアネットワーク要素との接続が接続状態に入った後、基地局とコアネットワーク要素との間で、データ及びシグナリングの少なくとも一方を任意に送受信することができる。
【０２５０】
一実施例では、この方法は、基地局が、上りデータ及び上りシグナリングの少なくとも一方を受信し、上りデータ及び上りシグナリングの少なくとも一方をコアネットワーク要素に送信することと、端末に対応する基地局とコアネットワーク要素との接続が、接続状態に入ることと、をさらに含む。
【０２５１】
そのうち、端末は、任意のタイミングでＰＲＡＣＨプロセスを能動的に開始して、ＲＲＣ接続状態又はＥＤＴ状態に入ることができ、端末は、ＲＲＣ接続状態又はＥＤＴ状態に入った後、上りデータ及び上りシグナリングの少なくとも一方を基地局に送信することができる。
【０２５２】
そのうち、端末に対応する基地局とコアネットワーク要素との接続が接続状態に入った後、基地局とコアネットワーク要素との間で、データ及びシグナリングの少なくとも一方を任意に送受信することができる。
【０２５３】
図２３を参照すると、本出願の別の実施例は、ステップ２３００と、ステップ２３０１と、を含む省エネ状態変換方法を提案する
【０２５４】
ステップ２３００では、コアネットワーク要素は、省エネ状態に入る指示情報を受信する。
【０２５５】
ステップ２３０１では、端末に対応する基地局とコアネットワーク要素との接続が維持され、且つ、端末に対応する基地局とコアネットワーク要素との接続は、省エネ状態に入り、端末に対応する基地局とコアネットワーク要素との接続が省エネ状態にあるとき、基地局は、上りデータ及び上りシグナリングの少なくとも一方を任意のタイミングでコアネットワーク要素に送信可能であり、コアネットワーク要素は、ページング時間ウィンドウ及び予め定義されたデータ送信ウィンドウの少なくとも一方の内だけで、下りデータ及び下りシグナリングを基地局に送信することができる。
【０２５６】
一実施例では、この方法は、コアネットワーク要素が省エネ状態に入る第２指示情報を受信する前に、コアネットワーク要素が、コアネットワーク要素が省エネ状態をサポートする第３指示情報を基地局に送信すること、をさらに含む。
【０２５７】
一実施例では、コアネットワーク要素は、共通シグナリングを介して第３指示情報を基地局に送信することができる。
【０２５８】
そのうち、共通シグナリングは、
Ｓ１確立応答（Ｓ１  ＳＥＴＵＰ  ＲＥＳＰＯＮＳＥ）と、移動管理エンティティ（Ｍｏｂｉｌｉｔｙ  Ｍａｎａｇｅｍｅｎｔ  Ｅｎｔｉｔｙ、ＭＭＥ）配置更新（ＣＯＮＦＩＧＵＲＡＴＩＯＮ  ＵＰＤＡＴＥ）メッセージと、Ｎｇポートに対応するメッセージと、の少なくとも一方を含む。
【０２５９】
前記第３指示情報は、ｅＤＲＸ配置情報と、ＰＳＭ配置情報と、ＤＳＭ配置情報との少なくとも一方を含み、
前記第１通信ノードがｅＤＲＸ配置情報と、ＰＳＭ配置情報と、ＤＳＭ配置情報との少なくとも一方に応じて、ページング時間ウィンドウ又は予め定義されたデータ送信ウィンドウの外で、下りデータ及び下りシグナリングの少なくとも一方を受信すると、前記第１通信ノードは、下りデータ及び下りシグナリングの少なくとも一方をバッファし、
前記第１通信ノードは、前記ページング時間ウィンドウ又は予め定義されたデータ送信ウィンドウの内で、ページング・メッセージを前記第２通信ノードに送信し、且つ、前記第２通信ノードが無線リソース制御接続状態又は早期データ伝送状態に入った後、バッファした下りデータ及び下りシグナリングの少なくとも一方を前記第２通信ノードに送信する。
【０２６０】
一実施例では、この方法は、コアネットワーク要素が、ページング時間ウィンドウ及び予め定義されたデータ送信ウィンドウの少なくとも一方の内で、下りデータ及び下りシグナリングの少なくとも一方を基地局に送信することと、端末に対応する基地局とコアネットワーク要素との接続が接続状態に入ることと、をさらに含む。
【０２６１】
一実施例では、この方法は、コアネットワーク要素が、上りデータ及び上りシグナリングの少なくとも一方を受信することと、端末に対応する基地局とコアネットワーク要素との接続が接続状態に入ることと、をさらに含む。
【０２６２】
図２４を参照すると、本出願の別の実施例は、送信モジュール２４０２を備える基地局を提案する。
【０２６３】
送信モジュール２４０２は、無線リソース制御接続を解放する第１指示情報を端末に送信し、省エネ状態に入る第２指示情報をコアネットワーク要素に送信するように構成される。
【０２６４】
一実施例では、基地局は、受信モジュール２４０１をさらに備える。
【０２６５】
受信モジュール２４０１は、前記コアネットワーク要素が前記端末の省エネ状態をサポートする第３指示情報を受信するように構成される。
【０２６６】
一実施例では、基地局は、下りデータ及び下りシグナリングの少なくとも一方を受信する受信モジュール２４０１をさらに備える。送信モジュール２４０２は、さらに、ページング・メッセージを前記端末に送信し、前記端末に対応する基地局とコアネットワーク要素との接続が接続状態に入るように構成される。
【０２６７】
一実施例では、上りデータ及び上りシグナリングの少なくとも一方を受信するように構成される受信モジュール２４０１をさらに備える。送信モジュール２４０２は、さらに、上りデータ及び上りシグナリングの少なくとも一方を前記コアネットワーク要素に送信し、前記端末に対応する基地局とコアネットワーク要素との接続が接続状態に入るように構成される。
【０２６８】
図２５を参照すると、本出願の別の実施例は、受信モジュール２５０１と、処理モジュール２５０２と、を備えるコアネットワーク要素を提案する。
【０２６９】
受信モジュール２５０１は、省エネ状態に入る指示情報を受信するように構成される。
【０２７０】
処理モジュール２５０２は、端末に対応する基地局とコアネットワーク要素との接続を維持し、且つ、端末に対応する基地局とコアネットワーク要素との接続が省エネ状態に入り、端末に対応する基地局とコアネットワーク要素との接続が省エネ状態にあるとき、基地局が、上りデータ及び上りシグナリングの少なくとも一方を任意のタイミングでコアネットワーク要素に送信可能であり、コアネットワーク要素が、ページング時間ウィンドウ及び予め定義されたデータ送信ウィンドウの少なくとも一方の内だけで、下りデータ及び下りシグナリングの少なくとも一方を基地局に送信可能である、ように構成される。
【０２７１】
一実施例では、送信モジュール２５０３をさらに備える。
【０２７２】
送信モジュール２５０３は、前記コアネットワーク要素が前記端末の省エネ状態をサポートする第３指示情報を基地局に送信するように構成される。
【０２７３】
一実施例では、受信モジュール２５０１は、さらに、前記ページング時間ウィンドウ及び予め定義されたデータ送信ウィンドウの少なくとも一方の内で、下りデータ及び下りシグナリングの少なくとも一方を前記基地局に送信し、前記端末に対応する基地局とコアネットワーク要素との接続が接続状態に入り、又は、上りデータ及び上りシグナリングの少なくとも一方を受信し、前記端末に対応する基地局とコアネットワーク要素との接続が接続状態に入る、ように構成される。
【０２７４】
一実施例では、この方法は、コアネットワーク要素が省エネ状態に入る第２指示情報を受信する前に、コアネットワーク要素が、コアネットワーク要素が省エネ状態をサポートする第３指示情報を基地局に送信する。図２７は、コアネットワーク要素２７０２が第３指示情報を基地局２７０１に送信する模式図である。
【０２７５】
一実施例では、コアネットワーク要素は、共通シグナリングを介して、第３指示情報を基地局に送信することができる。
【０２７６】
そのうち、共通シグナリングは、
Ｓ１確立応答（Ｓ１  ＳＥＴＵＰ  ＲＥＳＰＯＮＳＥ）と、移動管理エンティティ（Ｍｏｂｉｌｉｔｙ  Ｍａｎａｇｅｍｅｎｔ  Ｅｎｔｉｔｙ、ＭＭＥ）配置更新（ＣＯＮＦＩＧＵＲＡＴＩＯＮ  ＵＰＤＡＴＥ）メッセージと、Ｎｇポートに対応するメッセージと、の少なくとも一方を含む。
【０２７７】
別の実施例では、コアネットワークは、ＵＥ専用シグナリングを介して、第３指示情報を基地局に送信することができる。
【０２７８】
そのうち、前記専用シグナリングは、初期コンテキスト確立要求（ＩＮＩＴＩＡＬ  ＣＯＮＴＥＸＴ  ＳＥＴＵＰ  ＲＥＱＵＥＳＴ）と、ＵＥコンテキスト解放要求（ＵＥ  ＣＯＮＴＥＸＴ  ＲＥＬＥＡＳＥ  ＲＥＱＵＥＳＴ）と、ＵＥコンテキスト修正要求（ＵＥ  ＣＯＮＴＥＸＴ  ＭＯＤＩＦＩＣＡＴＩＯＮ  ＲＥＱＵＥＳＴ）と、ＵＥコンテキスト一時停止要求（ＵＥ  ＣＯＮＴＥＸＴ  ＳＵＳＰＥＮＤ  ＲＥＱＵＥＳＴ）と、ＵＥコンテキスト復帰要求（ＵＥ  ＣＯＮＴＥＸＴ  ＲＥＳＵＭＥ  ＲＥＳＰＯＮＳＥ）と、Ｎｇポートに対応するメッセージと、のいずれかを含む。
【０２７９】
そのうち、前記第３指示情報は、ｅＤＲＸ配置情報と、ＰＳＭ配置情報と、ＤＳＭ配置情報との少なくとも一方を含み、
前記第１通信ノードがｅＤＲＸ配置情報と、ＰＳＭ配置情報と、ＤＳＭ配置情報との少なくとも一方に応じて、ページング時間ウィンドウ又は予め定義されたデータ送信ウィンドウの外で、下りデータ及び下りシグナリングの少なくとも一方を受信すると、前記第１通信ノードは、下りデータ及び下りシグナリングの少なくとも一方をバッファし、
前記第１通信ノードは、前記ページング時間ウィンドウ又は予め定義されたデータ送信ウィンドウの内で、ページング・メッセージを前記第２通信ノードに送信し、且つ、前記第２通信ノードが無線リソース制御接続状態又は早期データ伝送状態に入った後、バッファした下りデータ及び下りシグナリングの少なくとも一方を前記第２通信ノードに送信する。そのうち、ＰＳＭ配置情報は、ＰＳＭ活性化タイマ（ＰＳＭ  Ａｃｔｉｖｅ  Ｔｉｍｅｒ）及びＰＳＭ時間長の少なくとも一方を含む。
【０２８０】
ＤＳＭ配置情報は、ＤＳＭ活性化タイマ及びＤＳＭ時間長の少なくとも一方を含む。
【０２８１】
そのうち、ＰＳＭ時間長又はＤＳＭ時間長は、周期的なトラッキングエリア更新（Ｔｒａｃｋｉｎｇ  Ａｒｅａ  Ｕｐｄａｔｅ、ＴＡＵ）／ルーティングエリア更新（Ｒｏｕｔｅ  Ａｒｅａ  Ｕｐｄａｔｅ、ＲＡＵ）タイマ（例えば、Ｔ３４１２、Ｔ３４１２拡張値、Ｔ３３１２、又はＴ３３１２拡張値など）を利用して実現されることができる。
【０２８２】
ｅＤＲＸ配置情報は、ｅＤＲＸ周期及びＰＴＷ長さ（Ｐａｇｉｎｇ  Ｔｉｍｅ  Ｗｉｎｄｏｗ  ｌｅｎｇｔｈ）の少なくとも一方を含む。
【０２８３】
本出願の別の実施例は、プロセッサと、コンピュータ可読記憶媒体と、を備え、コンピュータ可読記憶媒体に、プロセッサによって実行されると、上記のいずれかの省エネ状態変換方法を実現する指令が記憶されている、基地局を提案する。
【０２８４】
本出願の別の実施例は、プロセッサと、コンピュータ可読記憶媒体と、を備え、コンピュータ可読記憶媒体に、プロセッサによって実行されると、上記のいずれかの省エネ状態変換方法を実現する指令が記憶されている、コアネットワーク要素を提案する。
【０２８５】
本出願の実施例は、プロセッサによって実行されると、上記のいずれかの省エネ状態変換方法を実現するコンピュータプログラムが記憶されている、コンピュータ可読記憶媒体を提案する。
【０２８６】
図２６を参照すると、本出願の実施例は、上記のいずれかの基地局２６０１と、上記のいずれかのコアネットワーク要素２６０２と、を備える省エネ状態変換システムを提案する。
【図１】
2021513793.tif 000037
【図２】
2021513793.tif 000038
【図３】
2021513793.tif 000039
【図４】
2021513793.tif 000040
【図５】
2021513793.tif 000041
【図６】
2021513793.tif 000042
【図７】
2021513793.tif 000043
【図８】
2021513793.tif 000044
【図９】
2021513793.tif 000045
【図１０】
2021513793.tif 000046
【図１１】
2021513793.tif 000047
【図１２】
2021513793.tif 000048
【図１３】
2021513793.tif 000049
【図１４】
2021513793.tif 000050
【図１５】
2021513793.tif 000051
【図１６】
2021513793.tif 000052
【図１７】
2021513793.tif 000053
【図１８】
2021513793.tif 000054
【図１９】
2021513793.tif 000055
【図２０】
2021513793.tif 000056
【図２１】
2021513793.tif 000057
【図２２】
2021513793.tif 000058
【図２３】
2021513793.tif 000059
【図２４】
2021513793.tif 000060
【図２５】
2021513793.tif 000061
【図２６】
2021513793.tif 000062
【図２７】
2021513793.tif 000063
【国際調査報告】
2021513793.tif 000064
2021513793.tif 000065
2021513793.tif 000066
2021513793.tif 000067
2021513793.tif 000068
2021513793.tif 000069
2021513793.tif 000070